(57)【特許請求の範囲】
【請求項１】
ユーザ機器（ＵＥ）であって、
無線ローカルエリアネットワーク（ＷＬＡＮ）送受信機と、
セルラネットワークの発展型ノードＢ（ｅＮＢ）と通信を行って、前記ｅＮＢからＷＬＡＮアクセスデバイスの識別子を含む無線リソース制御（ＲＲＣ）メッセージを受信するセルラ送受信機と、
前記ｅＮＢに対応するセルラセキュリティキー、前記ＷＬＡＮアクセスデバイスの識別子、及び前記ＵＥの識別子に基づいてＵＥセキュリティキーを決定し、前記ＵＥセキュリティキーに基づいて前記ＷＬＡＮアクセスデバイスとの接続を確立するコントローラと、
を備えるＵＥ。
【請求項２】
前記セルラセキュリティキーは、前記ｅＮＢに対応するｅＮＢセキュリティキー（ＫｅＮＢ）を含む、請求項１に記載のＵＥ。
【請求項３】
前記ＷＬＡＮアクセスデバイスの前記識別子は、前記ＷＬＡＮアクセスデバイスの媒体アクセス制御（ＭＡＣ）アドレス、又は前記ＷＬＡＮアクセスデバイスのサービスセット識別子（ＳＳＩＤ）を含む、請求項１又は２に記載のＵＥ。
【請求項４】
前記セルラ送受信機は、前記ＵＥの前記識別子を含む無線リソース制御（ＲＲＣ）メッセージを、前記ｅＮＢに送信する、請求項１から３のいずれか１項に記載のＵＥ。
【請求項５】
前記ＵＥセキュリティキーは、事前共有キー（ＰＳＫ）を含む、請求項１から４のいずれか１項に記載のＵＥ。
【請求項６】
１つ又は複数のアンテナ、メモリ及びプロセッサを備える、請求項１から４のいずれか１項に記載のＵＥ。
【請求項７】
発展型ノードＢ（ｅＮＢ）であって、
セルラリンクを介してユーザ機器（ＵＥ）と通信を行って、前記ＵＥから前記ＵＥの識別子を含む無線リソース制御（ＲＲＣ）メッセージを受信するセルラ送受信機と、
前記ｅＮＢに対応するセルラセキュリティキー、無線ローカルエリアネットワーク（ＷＬＡＮ）アクセスデバイス（ＷＬＡＮアクセスデバイス）の識別子、及び前記ＵＥの識別子に基づいて、ＵＥセキュリティキーを決定するコントローラと、
前記ＵＥに対応するセキュリティ情報を前記ＷＬＡＮアクセスデバイスに送信するアクセスデバイスインタフェースと、
を備え、
前記セキュリティ情報は、前記ＵＥの識別子及び前記ＵＥセキュリティキーを含む、
ｅＮＢ。
【請求項８】
前記セルラセキュリティキーは、前記ｅＮＢに対応するｅＮＢセキュリティキー（ＫｅＮＢ）を含む、請求項７に記載のｅＮＢ。
【請求項９】
前記セルラ送受信機は、前記ＷＬＡＮアクセスデバイスの前記識別子を含む無線リソース制御（ＲＲＣ）メッセージを前記ＵＥに送信する、請求項７又は８に記載のｅＮＢ。
【請求項１０】
統合ｅＮＢアクセスポイント（ＡＰ）（ｅＮＢ／ＡＰ）の一部として、前記ＷＬＡＮアクセスデバイスに統合される、請求項７から９のいずれか１項に記載のｅＮＢ。
【請求項１１】
１つ又は複数のアンテナ、メモリ、及びプロセッサを備える、請求項７から１０のいずれか１項に記載のｅＮＢ。
【発明の詳細な説明】
【技術分野】
【０００１】
［相互参照］  本願は、発明の名称を「ＷＬＡＮ  Ａｕｔｈｅｎｔｉｃａｔｉｏｎ  ａｎｄ  Ｅｎｃｒｙｐｔｉｏｎ  Ｏｐｔｉｏｎｓ  ｆｏｒ  Ｉｎｔｅｇｒａｔｅｄ  ＬＴＥ／ＷＬＡＮ  ＲＡＴＳ」とする２０１４年３月２４日出願の米国仮特許出願第６１／９６９，７８０号の利益及びこれからの優先権を主張し、その開示全体は、参照により本明細書に組み込まれる。
【０００２】
本明細書で説明されるいくつかの実施形態は、概して、無線ローカルエリアネットワーク（ＷＬＡＮ）におけるユーザ機器（ＵＥ）の通信をセキュアにすることに関する。
【背景技術】
【０００３】
無線通信デバイス、例えばモバイルデバイスは、複数の無線通信技術を用いるように構成されてよい。
【０００４】
例えば、ユーザ機器（ＵＥ）デバイスは、セルラ接続、例えばロングタームエボリューション（ＬＴＥ）セルラ接続、及び無線ローカルエリアネットワーク（ＷＬＡＮ）接続、例えばワイヤレスフィデリティ（ＷｉＦｉ）接続を用いるように構成されてよい。
【０００５】
ＷＬＡＮ及びセルラネットワークの間における協働及び／又は統合レベルを向上させるための解決手段が必要とされている。例えば、第３世代パートナーシッププロジェクト（３ＧＰＰ）ＴＲ３７．８３４（「Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  ＷＬＡＮ／３ＧＰＰ  Ｒａｄｉｏ  Ｉｎｔｅｒｗｏｒｋｉｎｇ  （Ｒｅｌｅａｓｅ  １２）」は、ＷＬＡＮ／３ＧＰＰインターワーキングのための潜在的な無線アクセスネットワーク（ＲＡＮ）レベル向上に関する。３ＧＰＰは、３ＧＰＰ−ＷＬＡＮインターワーキングのためのいくつかの機能を指定する。
【図面の簡単な説明】
【０００６】
図の簡略化及び明瞭のため、図示される複数の要素は、必ずしも実寸通りに示されていない。例えば、複数の要素のいくつかの寸法は、明瞭に示すために、他の複数の要素に対して誇張されることがある。さらに、複数の参照番号が、対応又は類似する要素を示すべく、図中で繰り返し使用されることがある。以下、図を列挙する。
【０００７】
【図１】いくつかの例示的な実施形態に係るシステムを示す模式的なブロック図である。
【０００８】
【図２】いくつかの例示的な実施形態に係るＷＬＡＮにおけるＵＥの通信をセキュアにする方法の模式図である。
【０００９】
【図３】いくつかの例示的な実施形態に係るＷＬＡＮにおけるＵＥの通信をセキュアにする方法の模式図である。
【００１０】
【図４】いくつかの例示的な実施形態に係るＷＬＡＮにおけるＵＥの通信をセキュアにする方法の模式図である。
【００１１】
【図５】いくつかの例示的な実施形態に係る製品の模式図である。
【発明を実施するための形態】
【００１２】
以下の詳細な説明において、いくつかの実施形態を十分に理解せしめるべく、多数の具体的な詳細が示される。しかしながら、当業者によれば、いくつかの実施形態は、これらの具体的な詳細がなくとも実施可能であることが理解されよう。他の複数の例では、周知の方法、プロシージャ、コンポーネント、ユニット及び／又は回路は、説明を曖昧にしないよう、詳細には説明されていない。
【００１３】
本明細書における説明は、例えば、「処理」、「コンピューティング」、「算出」、「決定」、「確立」、「分析」、「チェック」等のような用語を用い、コンピュータ、コンピューティングプラットフォーム、コンピューティングシステム、又は他の電子コンピューティングデバイスの動作及び／又は処理を参照することがある。これらは、コンピュータのレジスタ及び／又はメモリ内の物理（例えば電子）量として表されるデータを操作及び／又は変換して、コンピュータのレジスタ及び／又はメモリ、又は動作及び／又は処理を実行するための命令を格納可能な他の情報記憶媒体内の物理量として同様に表される他のデータにする。
【００１４】
本明細書で用いられる「ｐｌｕｒａｌｉｔｙ」及び「ａ  ｐｌｕｒａｌｉｔｙ」という用語は、例えば、「複数（ｍｕｌｔｉｐｌｅ）」又は「２つ又はそれより多くの（ｔｗｏ  ｏｒ  ｍｏｒｅ）」を含む。例えば、「複数の」項目は、「２つ又はそれより多くの」項目を含む。
【００１５】
「一実施形態」、「実施形態」、「例示的な実施形態」、「様々な実施形態」等の記載は、そこで説明される実施形態が、特定の機能、構造、又は特性を含んでよいが、あらゆる実施形態が、当該特定の機能、構造、又は特性を必ずしも含むものではないことを示す。さらに、「一実施形態において」という語句を繰り返し用いることは、必ずしも同じ実施形態を指すものではないが、同じ実施形態を指すこともある。
【００１６】
本明細書で用いられるように、序数形容詞の「第１」、「第２」、「第３」等を用いることは、別途指定されない限り、一般的な対象を説明し、単に同様の対象の異なるインスタンスが参照されていることを示すものであり、そこで説明される対象が、時間的、空間的、序列的、又は任意の他の態様のいずれかにおいて、所与の順序でなければならないと暗示することを意図するものではない。
【００１７】
いくつかの実施形態は、様々なデバイス及びシステム、例えば、ユーザ機器（ＵＥ）、モバイルデバイス（ＭＤ）、無線局（ＳＴＡ）、パーソナルコンピュータ（ＰＣ）、デスクトップコンピュータ、モバイルコンピュータ、ラップトップコンピュータ、ノートブックコンピュータ、タブレットコンピュータ、スマートフォンデバイス、サーバコンピュータ、ハンドヘルドコンピュータ、ハンドヘルドデバイス、パーソナルデジタルアシスタント（ＰＤＡ）デバイス、ハンドヘルドＰＤＡデバイス、オンボードデバイス、オフボードデバイス、ハイブリッドデバイス、車両デバイス、非車両デバイス、モバイル又はポータブルデバイス、コンシューマデバイス、非モバイル又は非ポータブルデバイス、無線通信局、無線通信デバイス、無線アクセスポイント（ＡＰ）、無線ノード、基地局（ＢＳ）、有線又は無線ルータ、有線又は無線モデム、ビデオデバイス、オーディオデバイス、オーディオビデオ（Ａ／Ｖ）デバイス、有線又は無線ネットワーク、無線エリアネットワーク、セルラネットワーク、セルラノード、セルラデバイス、無線ローカルエリアネットワーク（ＷＬＡＮ）、多入力多出力（ＭＩＭＯ）送受信機又はデバイス、単一入力多出力（ＳＩＭＯ）送受信機又はデバイス、多入力単一出力（ＭＩＳＯ）送受信機又はデバイス、１つ又は複数の内部アンテナ及び／又は外部アンテナを有するデバイス、デジタルビデオブロードキャスト（ＤＶＢ）デバイス又はシステム、マルチ規格無線デバイス又はシステム、有線又は無線ハンドヘルドデバイス、例えばスマートフォン、無線アプリケーションプロトコル（ＷＡＰ）デバイス、自動販売機、販売端末等と共に用いられてよい。
【００１８】
いくつかの実施形態は、既存のロングタームエボリューション（ＬＴＥ）仕様書（ＴＳ３６．３００（"３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）；Ｏｖｅｒａｌｌ  ｄｅｓｃｒｉｐｔｉｏｎ；Ｓｔａｇｅ  ２"，Ｖ１２．１．０，Ｊｕｎｅ  ２０１３）；３ＧＰＰ  ＴＳ３６．３３１（３ＧＰＰ  ＴＳ３６．３３１  Ｖ１１．５．０（２０１３−０９）；Ｔｅｃｈｎｉｃａｌ  Ｓｐｅｃｉｆｉｃａｔｉｏｎ；３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｒａｄｉｏ  Ｒｅｓｏｕｒｃｅ  Ｃｏｎｔｒｏｌ（ＲＲＣ）；Ｐｒｏｔｏｃｏｌ  ｓｐｅｃｉｆｉｃａｔｉｏｎ（Ｒｅｌｅａｓｅ  １１））；３ＧＰＰ  ＴＳ３６．３２１（３ＧＰＰ  ＴＳ３６．３２１  Ｖ１１．４．０（２０１３−１２）；Ｔｅｃｈｎｉｃａｌ  Ｓｐｅｃｉｆｉｃａｔｉｏｎ  ３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｍｅｄｉｕｍ  Ａｃｃｅｓｓ  Ｃｏｎｔｒｏｌ（ＭＡＣ）  ｐｒｏｔｏｃｏｌ  ｓｐｅｃｉｆｉｃａｔｉｏｎ（Ｒｅｌｅａｓｅ  １１））；３ＧＰＰ  ＴＳ３６．３２２（３ＧＰＰ  ＴＳ３６．３２２  Ｖ１１．０．０（２０１２−０９）；Ｔｅｃｈｎｉｃａｌ  Ｓｐｅｃｉｆｉｃａｔｉｏｎ；３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｒａｄｉｏ  Ｌｉｎｋ  Ｃｏｎｔｒｏｌ（ＲＬＣ）  ｐｒｏｔｏｃｏｌ  ｓｐｅｃｉｆｉｃａｔｉｏｎ（Ｒｅｌｅａｓｅ  １１））；３ＧＰＰ  ＴＳ３６．３２３（３ＧＰＰ  ＴＳ３６．３２３  Ｖ１１．２．０（２０１３−０３）；Ｔｅｃｈｎｉｃａｌ  Ｓｐｅｃｉｆｉｃａｔｉｏｎ；３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐａｃｋｅｔ  Ｄａｔａ  Ｃｏｎｖｅｒｇｅｎｃｅ  Ｐｒｏｔｏｃｏｌ（ＰＤＣＰ）ｓｐｅｃｉｆｉｃａｔｉｏｎ（Ｒｅｌｅａｓｅ  １１））；３ＧＰＰ  ＴＳ３６．４１３（３ＧＰＰ  ＴＳ３６．４１３  ＶＩ  ２．０．０（２０１３−１２）；Ｔｅｃｈｎｉｃａｌ  Ｓｐｅｃｉｆｉｃａｔｉｏｎ；３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）；Ｓ１  Ａｐｐｌｉｃａｔｉｏｎ  Ｐｒｏｔｏｃｏｌ（Ｓ１ＡＰ）（Ｒｅｌｅａｓｅ  １２））；ａｎｄ  ＴＳ３６．４２３（「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）；Ｘ２  Ａｐｐｌｉｃａｔｉｏｎ  Ｐｒｏｔｏｃｏｌ（Ｘ２ＡＰ）"）を含む）及び／又はこれらの将来版及び／又は派生版に従って動作するデバイス及び／又はネットワーク、既存のＩＥＥＥ８０２．１１規格（ＩＥＥＥ  ８０２．１１−２０１２，ＩＥＥＥ  Ｓｔａｎｄａｒｄ  ｆｏｒ  Ｉｎｆｏｒｍａｔｉｏｎ  ｔｅｃｈｎｏｌｏｇｙ-  Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ  Ｌｏｃａｌ  ａｎｄ  ｍｅｔｒｏｐｏｌｉｔａｎ  ａｒｅａ  ｎｅｔｗｏｒｋｓ-  Ｓｐｅｃｉｆｉｃ  ｒｅｑｕｉｒｅｍｅｎｔｓ  Ｐａｒｔ  １１：Ｗｉｒｅｌｅｓｓ  ＬＡＮ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ（ＰＨＹ）  Ｓｐｅｃｉｆｉｃａｔｉｏｎｓ，Ｍａｒｃｈ  ２９，２０１２）及び／又はこれらの将来版及び／又は派生版に従って動作するデバイス及び／又はネットワーク、既存のＩＥＥＥ８０２．１６規格（ＩＥＥＥ−Ｓｔｄ８０２．１６，２００９  Ｅｄｉｔｉｏｎ，Ａｉｒ  Ｉｎｔｅｒｆａｃｅ  ｆｏｒ  Ｆｉｘｅｄ  Ｂｒｏａｄｂａｎｄ  Ｗｉｒｅｌｅｓｓ  Ａｃｃｅｓｓ  Ｓｙｓｔｅｍｓ；ＩＥＥＥ−Ｓｔｄ  ８０２．１６ｅ，２００５  Ｅｄｉｔｉｏｎ，Ｐｈｙｓｉｃａｌ  ａｎｄ  Ｍｅｄｉｕｍ  Ａｃｃｅｓｓ  Ｃｏｎｔｒｏｌ  Ｌａｙｅｒｓ  ｆｏｒ  Ｃｏｍｂｉｎｅｄ  Ｆｉｘｅｄ  ａｎｄ  Ｍｏｂｉｌｅ  Ｏｐｅｒａｔｉｏｎ  ｉｎ  Ｌｉｃｅｎｓｅｄ  Ｂａｎｄｓ；ａｍｅｎｄｍｅｎｔ  ｔｏ  ＩＥＥＥ  Ｓｔｄ  ８０２．１６−２００９，ｄｅｖｅｌｏｐｅｄ  ｂｙ  Ｔａｓｋ  Ｇｒｏｕｐ  ｍ）及び／又はこれらの将来版及び／又は派生版に従って動作するデバイス及び／又はネットワーク、既存の無線ギガビットアライアンス（ＷＧＡ）仕様書（Ｗｉｒｅｌｅｓｓ  Ｇｉｇａｂｉｔ  Ａｌｌｉａｎｃｅ，  Ｉｎｃ  ＷｉＧｉｇ  ＭＡＣ  ａｎｄ  ＰＨＹ  Ｓｐｅｃｉｆｉｃａｔｉｏｎ  Ｖｅｒｓｉｏｎ  １．１，Ａｐｒｉｌ  ２０１１，  Ｆｉｎａｌ  ｓｐｅｃｉｆｉｃａｔｉｏｎ）及び／又はこれらの将来版及び／又は派生版に従って動作するデバイス及び／又はネットワーク、既存のＷｉｒｅｌｅｓｓＨＤ（商標）仕様書及び／又はこれらの将来版及び／又は派生版に従って動作するデバイス及び／又はネットワーク、上述のネットワークの一部であるユニット及び／又はデバイス等と共に用いられてよい。
【００１９】
いくつかの実施形態は、１つ又は複数のタイプの無線通信信号及び／又はシステム、例えば、無線周波数（ＲＦ）、周波数分割多重（ＦＤＭ）、直交ＦＤＭ（ＯＦＤＭ）、直交周波数分割多重接続（ＯＦＤＭＡ）、空間分割多重接続（ＳＤＭＡ）、マルチユーザ（ＭＵ）ＭＩＭＯ（ＭＵ−ＭＩＭＯ）、シングルキャリア周波数分割多重接続（ＳＣ−ＦＤＭＡ）、時分割多重（ＴＤＭ）、時分割多重接続（ＴＤＭＡ）、拡張ＴＤＭＡ（Ｅ−ＴＤＭＡ）、汎用パケット無線サービス（ＧＰＲＳ）、拡張ＧＰＲＳ、コード分割多重接続（ＣＤＭＡ）、ワイドバンドＣＤＭＡ（ＷＣＤＭＡ（登録商標））、ＣＤＭＡ２０００、シングルキャリアＣＤＭＡ、マルチキャリアＣＤＭＡ、マルチキャリア変調（ＭＤＭ）、離散マルチトーン（ＤＭＴ）、Ｂｌｕｅｔｏｏｔｈ（登録商標）、グローバルポジショニングシステム（ＧＰＳ）、ワイヤレスフィデリティ（Ｗｉ−Ｆｉ）、Ｗｉ−Ｍａｘ、ＺｉｇＢｅｅ（登録商標）、ウルトラワイドバンド（ＵＷＢ）、グローバルシステムフォーモバイルコミュニケーション（ＧＳＭ（登録商標））、第２世代（２Ｇ）、２．５Ｇ、３Ｇ、３．５Ｇ、４Ｇ、４．５Ｇ，第５世代（５Ｇ）モバイルネットワーク、３ＧＰＰ、ロングタームエボリューション（ＬＴＥ）セルラシステム、ＬＴＥアドバンスセルラシステム、高速ダウンリンクパケットアクセス（ＨＳＤＰＡ）、高速アップリンクパケットアクセス（ＨＳＵＰＡ）、高速パケットアクセス（ＨＳＰＡ）、ＨＳＰＡ＋、シングルキャリア無線送信技術（１ＸＲＴＴ）、エボリューションデータ最適化（ＥＶ−ＤＯ）、エンハンスドデータレートフォーＧＳＭ（登録商標）エボリューション（ＥＤＧＥ）等と共に用いられてよい。複数の他の実施形態は、様々な他のデバイス、システム及び／又はネットワークで用いられてよい。
【００２０】
本明細書で用いられる「無線デバイス」という用語は、例えば、無線通信可能なデバイス、無線通信可能な通信デバイス、無線通信可能な通信局、無線通信可能なポータブル又は非ポータブルデバイス等を含む。いくつかの例示的な実施形態において、無線デバイスは、コンピュータに統合される周辺機器もしくはコンピュータに取り付けられる周辺機器であってよく、又はこれを含んでよい。いくつかの例示的な実施形態において、「無線デバイス」という用語は、任意的に、無線サービスを含んでよい。
【００２１】
通信信号に関して本明細書で用いられる「通信」という用語は、通信信号の送信及び／又は通信信号の受信を含む。例えば、通信信号の通信が可能な通信ユニットは、通信信号を少なくとも１つの他の通信ユニットに送信する送信機、及び／又は少なくとも１つの他の通信ユニットから通信信号を受信する通信受信機を含んでよい。「通信」の動詞は、送信動作又は受信動作を指すために用いられてよい。一例において、「信号の通信を行う」という語句は、第１のデバイスによって信号を送信する動作を指してよく、必ずしも第２のデバイスによって信号を受信する動作を含まなくてよい。他の例において、「信号の通信を行う」という語句は、第１のデバイスによって信号を受信する動作を指してよく、必ずしも第２のデバイスによって信号を送信する動作を含まなくてよい。
【００２２】
いくつかの例示的な実施形態は、本明細書において、ＬＴＥネットワークに関して説明される。しかしながら、複数の他の実施形態は、任意の他の適したセルラネットワーク又はシステム、例えば、ユニバーサルモバイルテレコミュニケーションシステム（ＵＭＴＳ）セルラシステム、ＧＳＭ（登録商標）ネットワーク、３Ｇセルラネットワーク、４Ｇセルラネットワーク、４．５Ｇネットワーク、５Ｇセルラネットワーク、ＷｉＭＡＸセルラネットワーク等で実装されてよい。
【００２３】
いくつかの例示的な実施形態は、本明細書において、ＷＬＡＮシステムに関して説明される。しかしながら、複数の他の実施形態は、任意の他の非セルラネットワーク、例えば、ミリメートル波（ｍｍＷａｖｅ）ネットワーク、又は無線ギガバイト（ＷｉＧｉｇ）ネットワークで実装されてよい。
【００２４】
いくつかの例示的な実施形態は、本明細書において、アクセスポイント（ＡＰ）に関して説明される。しかしながら、複数の他の実施形態は、任意の他のＷＬＡＮアクセスデバイス、例えば後述されるように、例えばアクセスコントローラ（ＡＣ）で実装されてよい。
【００２５】
いくつかの例示的な実施形態は、本明細書において、発展型ノードＢ（ｅＮＢ）に関して説明される。しかしながら、複数の他の実施形態は、任意の他のセルラマネジャ、例えば後述されるように、例えば無線ネットワークコントローラ（ＲＮＣ）で実装されてよい。
【００２６】
いくつかの例示的な実施形態は、例えば、セルラ、ミリメートル波（ｍｍＷａｖｅ）等を含む複数の技術、周波数、セルのサイズ、及び／又はネットワークアーキテクチャの組み合わせの配置を利用可能なヘテロジニアスネットワーク（ＨｅｔＮｅｔ）と共に用いられてよい。一例において、ＨｅｔＮｅｔは、大きいマクロセルからスモールセル、例えばピコセル及びフェムトセルまでの、異なるサイズのセル範囲の複数の層を有する無線アクセスネットワークを含んでよい。複数の他の実施形態は、任意の他の適した無線通信ネットワークと共に用いられてよい。
【００２７】
本明細書で用いられる「アンテナ」という用語は、１つ又は複数のアンテナ要素、コンポーネント、ユニットアセンブリ及び／又はアレイの任意の適した構成、構造及び／又は配置を含んでよい。いくつかの実施形態において、アンテナは、別個の送信及び受信アンテナ要素を用いる送信及び受信機能を実装してよい。いくつかの実施形態において、アンテナは、共通及び／又は統合送信／受信要素を用いる送信及び受信機能を実装してよい。アンテナは、例えば、フェーズドアレイアンテナ、単一要素アンテナ、ダイポールアンテナ、スイッチされたビームアンテナのセット等を含んでよい。
【００２８】
本明細書で用いられる「セル」という用語は、複数のネットワークリソース、例えばダウンリンクリソース、及び任意的にはアップリンクリソースの組み合わせを含んでよい。複数のリソースは、例えば、セルラノード（「基地局」とも称される）等によって制御され及び／又は割り当てられてよい。複数のダウンリンクリソースのキャリア周波数と複数のアップリンクリソースのキャリア周波数との間のリンクは、複数のダウンリンクリソースにおいて送信されるシステム情報において示されてよい。
【００２９】
本明細書で用いられる「ＷＬＡＮアクセスデバイス」及び「ＷＬＡＮマネジャ」という語句は、１つ又は複数の配信ネットワーク又はサービスへのＷＬＡＮ無線アクセスを制御及び／又は管理可能なエンティティを指してよい。いくつかの実施形態において、ＷＬＡＮアクセスデバイスは、例えば後述されるように、ＷＬＡＮアクセスポイント（ＡＰ）を含んでよい。一例において、ＷＬＡＮ  ＡＰは、ステーション（ＳＴＡ）を含み、かつ、関連付けられた複数のＳＴＡのための無線媒体（ＷＭ）を介して配信サービスへのアクセスを提供するエンティティを含んでよい。複数の他の実施形態において、ＷＬＡＮアクセスデバイスは、アクセスコントローラ（ＡＣ）、又は任意の他のデバイスを含んでよい。
【００３０】
本明細書で用いられる「ステーション」（ＳＴＡ）という用語は、ＷＭに対する媒体アクセス制御（ＭＡＣ）及び物理層（ＰＨＹ）インタフェースの単一でアドレス指定可能なインスタンスである任意の論理エンティティを含んでよい。
【００３１】
ここで、いくつかの例示的な実施形態に係るシステム１００のブロック図を模式的に示す図１が参照される。
【００３２】
図１に示されるように、いくつかの例示的な実施形態において、システム１００は、１つ又は複数の無線媒体１０８を介して、コンテンツ、データ、情報及び／又は信号の通信が可能な１つ又は複数の無線通信デバイスを含んでよい。例えば、システム１００は、例えば後述されるように、１つ又は複数の無線通信ネットワークと通信可能な少なくとも１つのユーザ機器（ＵＥ）１０２を含んでよい。
【００３３】
複数の無線媒体１０８は、例えば、無線チャネル、セルラチャネル、ＲＦチャネル、ＷＬＡＮチャネル、ワイヤレスフィデリティ（ＷｉＦｉ）チャネル、ｍｍＷａｖｅチャネル、ＷｉＧｉｇチャネル、ＩＲチャネル等を含んでよい。システム１００の１つ又は複数の要素は、任意的に、任意の適した有線通信リンクを介して通信可能であってよい。
【００３４】
いくつかの例示的な実施形態において、システム１００は、例えば、セルラノード（「ノード」）１０４によって制御されるセルを含む少なくとも１つのセルラネットワークを含んでよい。
【００３５】
いくつかの例示的な実施形態において、システム１００は、非セルラネットワーク１０７、例えば、ＷＬＡＮアクセスポイント（ＡＰ）又はＷＬＡＮアクセスコントローラ（ＡＣ）のようなＷＬＡＮアクセスデバイス１０６によって管理されるＷＬＡＮ、例えばベーシックサービスセット（ＢＳＳ）を含んでよい。
【００３６】
いくつかの例示的な実施形態において、非セルラネットワーク１０７は、少なくとも部分的に、ノード１０４のカバレッジエリア内にあってよい。例えば、ＷＬＡＮアクセスデバイス１０６は、ノード１０４のカバレッジエリア内にあってよい。
【００３７】
いくつかの例示的な実施形態において、ノード１０４は、例えば後述されるように、セル１０３におけるＵＥ１０２の通信を制御及び／又は管理するセルラマネジャの機能を実行してよい。
【００３８】
いくつかの例示的な実施形態において、ノード１０４は、例えばＬＴＥシステムにおいて、発展型ノードＢ（ｅＮＢ）を含んでよい。例えば、ノード１０４は、無線リソース管理（ＲＲＭ）、無線ベアラ制御、無線許可制御（アクセス制御）、接続モビリティ管理、アップリンク及びダウンリンクの両方でのＵＥに対するリソースの動的割り当てのような、ＵＥとｅＮＢ無線との間におけるリソーススケジューリング、ヘッダ圧縮、ユーザデータストリームのリンク暗号化、他のｅＮＢ又は発展型パケットコア（ＥＰＣ）のようなデスティネーションに対するユーザデータのパケットルーティング、着呼及び／又は接続要求のようなページングメッセージのスケジューリング及び／又は送信、ブロードキャスト情報調整、測定報告、及び／又は任意の他の動作を実行するように構成されてよい。
【００３９】
複数の他の実施形態において、ノード１０４は、任意の他の機能を含んでよく、及び／又は、任意の他のセルラノード、例えば、ノードＢ（ＮＢ）、少なくとも１つのノードＢを制御するように構成される無線ネットワークコントローラ（ＲＮＣ）、基地局又は任意の他のノードもしくはデバイスの機能を実行してよい。
【００４０】
いくつかの例示的な実施形態において、ＵＥ１０２は、例えば、モバイルコンピュータ、ＭＤ、ＳＴＡ、ラップトップコンピュータ、ノートブックコンピュータ、タブレットコンピュータ、ウルトラブック（商標）コンピュータ、モバイルインターネットデバイス、ハンドヘルドコンピュータ、ハンドヘルドデバイス、ストレージデバイス、ＰＤＡデバイス、ハンドヘルドＰＤＡデバイス、モノのインターネット（ＩｏＴ）デバイス、オンボードデバイス、オフボードデバイス、（例えば、携帯電話の機能をＰＤＡデバイスの機能に組み合わせた）ハイブリッドデバイス、コンシューマデバイス、車両デバイス、非車両デバイス、モバイル又はポータブルデバイス、モバイルフォン、携帯電話、ＰＣＳデバイス、モバイルもしくはポータブルＧＰＳデバイス、ＤＶＢデバイス、比較的小さいコンピューティングデバイス、非デスクトップコンピュータ、「Ｃａｒｒｙ  Ｓｍａｌｌ  Ｌｉｖｅ  Ｌａｒｇｅ」（ＣＳＬＬ）デバイス、ウルトラモバイルデバイス（ＵＭＤ）、ウルトラモバイルＰＣ（ＵＭＰＣ）、モバイルインターネットデバイス（ＭＩＤ）、「おりがみ」デバイスもしくはコンピューティングデバイス、ビデオデバイス、オーディオデバイス、Ａ／Ｖデバイス、ゲームデバイス、メディアプレイヤ、スマートフォン等を含んでよい。
【００４１】
いくつかの例示的な実施形態において、ＵＥ１０２、ノード１０４及び／又はＷＬＡＮアクセスデバイス１０６は、例えば後述されるように、ＵＥ１０２、ノード１０４ＷＬＡＮアクセスデバイス１０６の間で、及び／又は１つ又は複数の他の無線通信デバイスと無線通信を実行する１つ又は複数の無線通信ユニット及び／又はモジュールを含んでよい。
【００４２】
いくつかの例示的な実施形態において、ＵＥ１０２は、例えば後述されるように、ＷＬＡＮ送受信機（ＴＲｘ）１６３及びセルラＴＲｘ１６５を含んでよく、ＷＬＡＮアクセスデバイス１０６は、ＷＬＡＮ  ＴＲｘ１９６を含んでよく、及び／又は、ノード１０４は、セルラＴＲｘ１６７を含んでよい。
【００４３】
いくつかの例示的な実施形態において、ノード１０４は、例えば後述されるように、ノード１０４がｅＮＢの機能を実行する場合に、例えば、セルラリンクを介してＵＥ１０２と直接通信を行うセルラＴＲｘ１６７を含んでよい。しかしながら、複数の他の実施形態において、ノード１０４は、セルラＴＲｘ１６７に加えて又はこれに代えて、セルラリンクを介して例えば直接的又は間接的に、ＵＥ１０２と通信を行う任意の他の通信インタフェースを含んでよい。一例において、ノード１０４は、ＲＮＣの機能を実行してよい。この例に従って、ノード１０４は、ノードＢを介してＵＥ１０２と通信を行うノードＢインタフェース、例えば、インタフェースユニットｂ（Ｉｕｂ）を含んでよく、これは、例えば、ノードＢとＵＥ１０２との間のセルラリンクを介してのセルラＴＲｘ１６７を含んでよい。
【００４４】
いくつかの例示的な実施形態において、ＷＬＡＮアクセスデバイス１０６は、例えば後述されるように、ＷＬＡＮリンクを介してＵＥ１０２と直接通信を行うＷＬＡＮ  ＴＲｘ１９６を含んでよい。しかしながら、複数の他の実施形態において、ＷＬＡＮアクセスデバイス１０６は、ＷＬＡＮ  ＴＲｘ１９６に加えて又はこれに代えて、ＷＬＡＮリンクを介して例えば直接的又は間接的に、ＵＥ１０２と通信を行う任意の他の通信インタフェースを含んでよい。一例において、ＷＬＡＮアクセスデバイス１０６は、アクセスコントローラ（ＡＣ）の機能を実行してよい。この例に従って、ＷＬＡＮアクセスデバイス１０６は、Ｌｉｇｈｔｗｅｉｇｈｔ  ＡＰ（ＬＡＰ）を介してＵＥ１０２と通信を行うＬＡＰインタフェースを含んでよく、これは、例えば、ＬＡＰとＵＥ１０２との間のＷＬＡＮリンクを介してのＷＬＡＮ  ＴＲｘ１９６を含んでよい。
【００４５】
いくつかの例示的な実施形態において、ＵＥ１０２、ノード１０４及び／又はＷＬＡＮアクセスデバイス１０６は、１つ又は複数のアンテナを含んでよく、又はこれらに関連付けられてよい。一例において、ＵＥ１０２は、少なくとも２つのアンテナ、例えばアンテナ１１２及び１１４、又は他の任意の数のアンテナ、例えば１つのアンテナ又は２つより多くのアンテナに関連付けられてよく、ノード１０４は、少なくとも２つのアンテナ、例えばアンテナ１３２及び１３４、又は他の任意の数のアンテナ、例えば１つのアンテナ又は２つより多くのアンテナに関連付けられてよく、及び／又は、ＷＬＡＮアクセスデバイス１０６は、１つ又は複数のアンテナ１９３に関連付けられてよい。
【００４６】
いくつかの例示的な実施形態において、アンテナ１１２、１１４、１３２、１３４及び／又は１９３は、無線通信信号、ブロック、フレーム、送信ストリーム、パケット、メッセージ及び／又はデータの送信及び／又は受信に適した任意のタイプのアンテナを含んでよい。例えば、アンテナ１１２、１１４、１３２、１３４及び／又は１９３は、任意の適した構成、構造及び／又は配置の１つ又は複数のアンテナ要素、コンポーネント、ユニット、アセンブリ及び／又はアレイを含んでよい。例えば、アンテナ１１２、１１４、１３２、１３４及び／又は１９３は、フェーズドアレイアンテナ、ダイポールアンテナ、単一要素アンテナ、スイッチされたビームアンテナのセット等を含んでよい。
【００４７】
いくつかの実施形態において、アンテナ１１２、１１４、１３２、１３４及び／又は１９３は、別個の送信及び受信アンテナ要素を用いる送信及び受信機能を実装してよい。いくつかの実施形態において、アンテナ１１２、１１４、１３２、１３４及び／又は１９３は、共通及び／又は統合送信／受信要素を用いる送信及び受信機能を実装してよい。
【００４８】
いくつかの例示的な実施形態において、セルラＴＲｘ１６５、ＷＬＡＮ  ＴＲｘ１６３、セルラＴＲｘ１６７、及び／又はＷＬＡＮ  ＴＲｘは、無線通信信号、ＲＦ信号、フレーム、ブロック、送信ストリーム、パケット、メッセージ、データ項目及び／又はデータを送信及び／又は受信するように構成される回路及び／又はロジックを含む１つ又は複数の無線送信機、受信機及び／又は送受信機を含んでよい。
【００４９】
いくつかの例示的な実施形態において、ＷＬＡＮ  ＴＲｘ１４７及びＷＬＡＮ  ＴＲｘ１９６は、ＷＬＡＮリンクを介して、ＵＥ１０２とＷＬＡＮアクセスデバイス１０６との間で通信を行うように構成されてよく、及び／又は、セルラＴＲｘ１６５及びセルラＴＲｘ１６７は、セルラリンクを介して、ＵＥ１０２とノード１０４との間で通信を行うように構成されてよい。
【００５０】
いくつかの例示的な実施形態において、ＷＬＡＮリンクは、例えば、ワイヤレスフィデリティ（ＷｉＦｉ）リンク、ｍｍＷａｖｅリンク、無線ギガビット（ＷｉＧｉｇ）リンク、又は任意の他のリンクを含んでよい。いくつかの例示的な実施形態において、ＷＬＡＮリンクは、例えば、２．４ギガヘルツ（ＧＨｚ）もしくは５ＧＨｚ周波数帯域、６０ＧＨｚ周波数帯域、又は任意の他の周波数帯域を介したリンクを含んでよい。
【００５１】
いくつかの例示的な実施形態において、セルラＴＲｘ１６５及び／又はセルラＴＲｘ１６７は、多入力多出力（ＭＩＭＯ）送信機受信機システム（不図示）を含んでよく、これは、望ましい場合には、複数のアンテナビーム形成方法を実行可能な回路及び／又はロジックを含んでよい。複数の他の実施形態において、セルラＴＲｘ１６５及び／又はセルラＴＲｘ１６７は、任意の他の複数の送信機及び／又は受信機を含んでよい。
【００５２】
いくつかの例示的な実施形態において、セルラＴＲｘ１６５及び／又はセルラＴＲｘ１６７は、望ましい場合には、複数のデータビットを複数のデータシンボルに符号化及び／又は復号化するターボデコーダ及び／又はターボエンコーダ（不図示）を含んでよい。複数の他の実施形態において、セルラＴＲｘ１６５及び／又はセルラＴＲｘ１６７は、任意の他のエンコーダ及び／又はデコーダを含んでよい。
【００５３】
いくつかの例示的な実施形態において、セルラＴＲｘ１６５及び／又はセルラＴＲｘ１６７は、例えば、ノード１０４とＵＥ１０２との間のダウンリンクチャネルを介してＯＦＤＭ信号の通信を行い、例えば、ＵＥ１０２とノード１０４との間のアップリンクチャネルを介してＳＣ−ＦＤＭＡ信号の通信を行うように構成されるＯＦＤＭ及び／又はＳＣ−ＦＤＭＡモジュレータ及び／又はデモジュレータ（不図示）を含んでよい。複数の他の実施形態において、セルラＴＲｘ１６５及び／又はセルラＴＲｘ１６７は、任意の他の複数のモジュレータ及び／又はデモジュレータを含んでよい。
【００５４】
いくつかの例示的な実施形態において、ＷＬＡＮ  ＴＲｘ１６３及び／又はＷＬＡＮ  ＴＲｘ１９６は、ＵＥ１０２とＷＬＡＮアクセスデバイス１０６との間にＷＬＡＮリンクを確立してよい。例えば、ＷＬＡＮ  ＴＲｘ１６３は、１つ又は複数のＳＴＡ、例えば、１つ又は複数のＷｉＦｉ  ＳＴＡ、ＷＬＡＮ  ＳＴＡ、及び／又はミリメートル波（ｍｍＷａｖｅ）ＳＴＡの機能を実行してよい。ＷＬＡＮリンクは、アップリンク及び／又はダウンリンクを含んでよい。ＷＬＡＮダウンリンクは、例えば、ＷＬＡＮアクセスデバイス１０６から１つ又は複数のＳＴＡへの一方向リンクを含んでよい。アップリンクは、例えば、ＳＴＡからＷＬＡＮアクセスデバイス１０６への一方向リンクを含んでよい。
【００５５】
いくつかの例示的な実施形態において、例えば後述されるように、ＵＥ１０２は、ＵＥ１０２の１つ又は複数の機能を制御するコントローラ１４５を含んでよく、ノード１０４は、ノード１０４の１つ又は複数の機能を制御するコントローラ１４４を含んでよく、及び／又は、ＷＬＡＮアクセスデバイス１０６は、ＷＬＡＮアクセスデバイス１０６の１つ又は複数の機能を制御するコントローラ１９４を含んでよい。
【００５６】
いくつかの例示的な実施形態において、コントローラ１４５、コントローラ１４４、及び／又はコントローラ１９４は、コントローラ１４５、コントローラ１４４、及び／又はコントローラ１９４の機能の少なくとも一部を実行するように構成され得る好適な回路及び／又はロジック、例えば、コントローラ回路及び／又はロジック、プロセッサ回路及び／又はロジック、メモリ回路及び／又はロジック、及び／又は任意の他の回路及び／又はロジックを含んでよく、又はこれらを用いて実装されてよい。さらに又は代替的に、コントローラ１４５、コントローラ１４４、及び／又はコントローラ１９４の１つ又は複数の機能は、例えば後述されるように、機械及び／又は１つ又は複数のプロセッサによって実行され得るロジックによって実装されてよい。
【００５７】
いくつかの例示的な実施形態において、ＵＥ１０２は、例えば、プロセッサ１２４、入力ユニット１１６、出力ユニット１１８、メモリユニット１２０、及びストレージユニット１２２の１つ又は複数をさらに含んでよく、ノード１０４は、プロセッサ１８１及び／又はメモリ１８３を含んでよく、及び／又は、ＡＰ１０６は、プロセッサ１８５及び／又はメモリ１８７を含んでよい。ＵＥ１０２、ノード１０４及び／又はＷＬＡＮアクセスデバイス１０６は、任意的に、他の適した複数のハードウェアコンポーネント及び／又はソフトウェアコンポーネントを含んでよい。いくつかの例示的な実施形態において、ＵＥ１０２、ノード１０４及び／又はＷＬＡＮアクセスデバイス１０６の１つ又は複数における複数のコンポーネントのいくつか又は全ては、共通のハウジング又はパッケージに封止されてよく、１つ又は複数の有線又は無線リンクを用いて相互接続され又は動作可能に関連付けられてよい。複数の他の実施形態において、ＵＥ１０２、ノード１０４及び／又はＷＬＡＮアクセスデバイス１０６の１つ又は複数における複数のコンポーネントは、複数の又は別個のデバイスの中で分散させられてよい。
【００５８】
プロセッサ１２４、プロセッサ１８１、及び／又はプロセッサ１８５は、例えば、中央処理装置（ＣＰＵ）、デジタル信号プロセッサ（ＤＳＰ）、１つ又は複数のプロセッサコア、シングルコアプロセッサ、デュアルコアプロセッサ、マルチコアプロセッサ、マイクロプロセッサ、ホストプロセッサ、コントローラ、複数のプロセッサもしくはコントローラ、チップ、マイクロチップ、１つ又は複数の回路、回路、ロジックユニット、集積回路（ＩＣ）、特定用途向けＩＣ（ＡＳＩＣ）、又は任意の他の適した多目的もしくは特定のプロセッサもしくはコントローラを含む。プロセッサ１２４は、例えば、ＵＥ１０２のオペレーティングシステム（ＯＳ）及び／又は１つ又は複数の好適なアプリケーションの複数の命令を実行する。プロセッサ１８１は、例えば、ノード１０４のＯＳ及び／又は１つ又は複数の好適なアプリケーションの複数の命令を実行する。プロセッサ１８５は、例えば、ＷＬＡＮアクセスデバイス１０６のＯＳ及び／又は１つ又は複数の好適なアプリケーションの複数の命令を実行する。
【００５９】
入力ユニット１１６は、例えば、キーボード、キーパッド、マウス、タッチスクリーン、タッチパッド、トラックボール、スタイラス、マイク、又は他の適したポインティングデバイスもしくは入力デバイスを含む。出力ユニット１１８は、例えば、モニタ、スクリーン、タッチスクリーン、フラットパネルディスプレイ、発光ダイオード（ＬＥＤ）表示ユニット、液晶ディスプレイ（ＬＣＤ）表示ユニット、プラズマ表示ユニット、１つ又は複数のオーディオスピーカもしくはイヤフォン、又は他の適した複数の出力デバイスを含む。
【００６０】
メモリユニット１２０は、例えば、ランダムアクセスメモリ（ＲＡＭ）、リードオンリメモリ（ＲＯＭ）、ダイナミックＲＡＭ（ＤＲＡＭ）、同期ＤＲＡＭ（ＳＤ−ＲＡＭ）、フラッシュメモリ、揮発性メモリ、不揮発性メモリ、キャッシュメモリ、バッファ、短期メモリユニット、長期メモリユニット、又は他の適した複数のメモリユニットを含む。ストレージユニット１２２は、例えば、ハードディスクドライブ、フロッピ（登録商標）ディスクドライブ、コンパクトディスク（ＣＤ）ドライブ、ＣＤ−ＲＯＭドライブ、ＤＶＤドライブ、又は他の適した複数のリムーバブルもしくは非リムーバブルストレージユニットを含む。メモリユニット１２０及び／又はストレージユニット１２２は、例えば、ＵＥ１０２によって処理されるデータを格納してよい。メモリ１８３は、例えば、ノード１０４によって処理されるデータを格納してよい。メモリ１８７は、例えば、ＷＬＡＮアクセスデバイス１０６によって処理されるデータを格納してよい。
【００６１】
いくつかの例示的な実施形態において、ＵＥ１０２は、ノード１０４と通信を行うセルラ接続、例えば、ロングタームエボリューション（ＬＴＥ）セルラ接続、ユニバーサルモバイルテレコミュニケーションシステム（ＵＭＴＳ）接続又は任意の他のセルラ接続と、ＷＬＡＮアクセスデバイス１０６と通信を行うＷＬＡＮ接続、例えば、ワイヤレスフィデリティ（ＷｉＦｉ）接続又は任意の他のＷＬＡＮ接続とを用いるように構成されてよい。
【００６２】
いくつかの例示的な実施形態において、システム１００の１つ又は複数の要素は、例えば、セルラ、ＷＬＡＮ等を含む複数の技術、周波数、セルのサイズ及び／又はネットワークアーキテクチャの組み合わせの配置を利用可能なＨｅｔＮｅｔの機能を実行してよい。
【００６３】
例えば、ＨｅｔＮｅｔは、第１の無線通信環境、例えばセルラネットワークを介してサービスを提供し、他の通信環境、例えばＷＬＡＮにスイッチする場合に、そのサービスを維持するように構成されてよい。ＨｅｔＮｅｔアーキテクチャは、無線通信環境、例えばＷＬＡＮ環境及びセルラ環境の組み合わせを用いることにより、例えば、顧客要求の急な変化に対する最適な応答、電力消費の低減、コストの低減、効率性の向上及び／又は任意の他の利益の実現を可能としてよい。
【００６４】
一例において、システム１００は、ネットワーク容量を増強するマクロセルラ配置に加えてオーバレイされる、ピコ、フェムトのようなスモールセルの階層、中継局、ＷｉＦｉ  ＡＰ等を含む多階層マルチ無線アクセス技術（Ｍｕｌｔｉ−ＲＡＴ）Ｈｅｔ−Ｎｅｔアーキテクチャを用いてよい。
【００６５】
他の例において、システム１００は、ＷｉＦｉ及び３ＧＰＰ無線インタフェースのような複数の無線を単一のインフラストラクチャデバイスに統合する複数のＭｕｌｔｉ−ＲＡＴスモールセルを用いてよい。
【００６６】
いくつかの例示的な実施形態において、ノード１０４及びＷＬＡＮアクセスデバイス１０６は、Ｍｕｌｔｉ−ＲＡＴスモールセルの一部として実装されてよい。
【００６７】
いくつかの例示的な実施形態において、ノード１０４及びＷＬＡＮアクセスデバイス１０６は、統合セルラ及びＷＬＡＮ（ＩＣＷ）Ｍｕｌｔｉ−ＲＡＴスモールセルの一部として、同じ場所に位置してよく、又は接続されてよい。
【００６８】
いくつかの例示的な実施形態において、ノード１０４及びＷＬＡＮアクセスデバイス１０６は、互いにインタフェースをとるように構成されてよく、例えば後述されるように、例えばノード１０４が、ＷＬＡＮアクセスデバイス１０６と直接インタラクトし、及び／又はＷＬＡＮアクセスデバイス１０６の１つ又は複数の機能を制御することを可能とする。
【００６９】
いくつかの例示的な実施形態において、ノード１０４は、例えば後述されるように、ＷＬＡＮアクセスデバイス１０６と通信を行うアクセスデバイスインタフェース１７１を含んでよく、及び／又は、ＷＬＡＮアクセスデバイス１０６は、ノード１０４と通信を行うセルラマネジャインタフェース１９２を含んでよい。
【００７０】
いくつかの例示的な実施形態において、インタフェース１７１及び１９２は、ＷＬＡＮアクセスデバイス１０６とノード１０４との間における接続を可能とするように構成される任意の適したインタフェースを含んでよい。インタフェース１７１及び１９６は、任意の有線及び／又は無線通信リンクを含んでよい。一例において、インタフェース１７１及び１９６は、ノード１０４とＷＬＡＮアクセスデバイス１０６との間で通信をルーティング及び／又はトンネリングするように構成されてよい。例えば、インタフェース１７１及び１９６は、インターネットプロトコル（ＩＰ）ベースのネットワーク、又は任意の他のネットワークを含んでよい。
【００７１】
いくつかの実施形態において、ノード１０４及びＷＬＡＮアクセスデバイス１０６は、結合されたｅＮＢ／ＷＬＡＮアクセスデバイス、例えば結合されたｅＮＢ／ＡＰの形で実装されてよい。
【００７２】
いくつかの例示的な実施形態において、結合されたｅＮＢ／ＡＰは、例えば後述されるように、ノード１０４の機能を実行するように構成されるｅＮＢ回路と、ＷＬＡＮアクセスデバイス１０６の機能を実行するように構成されるＷＬＡＮアクセスデバイス回路、例えばＡＰ回路とを含んでよい。
【００７３】
いくつかの実施形態において、ノード１０４及びＷＬＡＮアクセスデバイス１０６は、共通のデバイス、例えば統合ｅＮＢ／ＡＰデバイスの一部として実装されてよい。複数の他の実施形態において、ノード１０４及びＷＬＡＮアクセスデバイス１０６は、別個の及び／又は独立したユニット又はデバイスとして実装されてよい。例えば、結合されたｅＮＢ／ＡＰは、共に結合され得る別個のｅＮＢ及びＡＰデバイスを含んでよい。
【００７４】
複数の他の実施形態において、システム１００は、任意の他のアーキテクチャ及び／又は配置を実装してよい。
【００７５】
いくつかの例示的な実施形態において、ＵＥ１０２は、複数の発展型パケットスイッチシステム（ＥＰＳ）ベアラを確立し、ノード１０４を介して、ＵＥ１０２とコアネットワーク（ＣＮ）１４９の１つ又は複数の要素との間で接続してよい。
【００７６】
一例において、ＵＥ１０２は、ＵＥ１０２と少なくとも１つのＰＤＮ１７３との間で少なくとも１つのパケットデータネットワーク（ＰＤＮ）接続を確立し、例えば、ＵＥ１０２とＰＤＮ１７３との間で１つ又は複数のＥＰＳベアラをサポートしてよい。ＰＤＮ接続は、ＵＥ１０２とＰＤＮ１７３との間で、複数のベアラを介して維持されてよい。ＰＤＮ１７３は、例えば、インターネットネットワーク、ＩＰマルチメディアコアネットワークサブシステム（ＩＭＳ）ネットワーク、及び／又は任意の他のネットワークを含んでよい。
【００７７】
一例において、システム１００は、ＬＴＥシステムを含んでよく、少なくとも１つのＥＰＳベアラは、ＵＥ１０２とＣＮ１４９のＰＤＮゲートウェイ（ＧＷ）（Ｐ−ＧＷ）１６９との間で、ＰＤＮ接続を介して確立されてよい。ＥＰＳベアラは、ＵＥ１０２とノード１０４との間におけるデータ無線ベアラ（ＤＲＢ）、ノード１０４とＣＮ１４９のサービングゲートウェイ（Ｓ−ＧＷ）１３７との間におけるＳ１ベアラのようなベアラ、及びＳ−ＧＷ１３７とＰ−ＧＷ１６９との間におけるＳ５ベアラのようなベアラを含んでよい。いくつかの実装において、例えばＤＲＢ及びＳ１ベアラを含む発展型ＵＭＴＳ地上無線アクセスネットワーク（Ｅ−ＵＴＲＡＮ）無線アクセスベアラ（Ｅ−ＲＡＢ）は、ＵＥ１０２とＳ−ＧＷ１６７との間で確立されてよい。
【００７８】
いくつかの例示的な実施形態において、ベアラ、例えばＥＰＳベアラは、特定のサービス品質（ＱｏＳ）を有するトランスポートサービスのようなベアラサービスを提供し得る仮想接続の形であってよい。
【００７９】
いくつかの例示的な実施形態において、ノード１０４、ＷＬＡＮアクセスデバイス１０６、及び／又はＵＥ１０２は、例えば後述されるように、無線アクセスネットワークレベルにおけるセルラ−ＷＬＡＮインターワーキングを可能とするように構成されてよい。
【００８０】
一例において、ノード１０４、ＷＬＡＮアクセスデバイス１０６、及び／又はＵＥ１０２は、ＵＥ１０２のＷＬＡＮアクセスとＵＥ１０２のセルラアクセスとの間におけるトラフィックバランシングを向上させるように構成されてよい。さらに又は代替的に、ノード１０４、ＷＬＡＮアクセスデバイス１０６、及び／又はＵＥ１０２は、例えば、セルラ及びＷＬＡＮリンクの無線輻輳レベルを考慮した無線アクセスの選択を可能とするように構成されてよい。さらに又は代替的に、ノード１０４、ＷＬＡＮアクセスデバイス１０６、及び／又はＵＥ１０２は、ＵＥ１０２のバッテリ寿命を向上させ、及び／又は任意の他の改良及び／又は利益を提供するように構成されてよい。
【００８１】
いくつかの例示的な実施形態において、例えば後述されるように、ノード１０４、ＷＬＡＮアクセスデバイス１０６、及び／又はＵＥ１０２は、密結合されたセルラ−ＷＬＡＮインターワーキングシステムアーキテクチャを可能とするように構成されてよい。いくつかの例示的な実施形態において、ＵＥ１０２、セルラノード１０４、及び／又はＷＬＡＮアクセスデバイス１０６は、例えば後述されるように、ＬＴＥ／ＷＬＡＮプロトコルアグリゲーションスキームに従って通信を行うように構成されてよい。
【００８２】
いくつかの例示的な実施形態において、ＬＴＥ／ＷＬＡＮプロトコルスタックアグリゲーションは、ＷＬＡＮプロトコルスタックとのＬＴＥインターワーキングを可能とするように構成されてよい。
【００８３】
いくつかの例示的な実施形態において、ＬＴＥ／ＷＬＡＮプロトコルスタックアグリゲーションは、セルラノード１０４においてＷＬＡＮモビリティをアンカするように構成されてよい。
【００８４】
いくつかの例示的な実施形態において、ＵＥ１０２とＷＬＡＮアクセスデバイス１０６との間のＷＬＡＮリンクは、ＷＬＡＮ  ＭＡＣ層の上でアグリゲートされてよい。
【００８５】
いくつかの例示的な実施形態において、ＬＴＥ／ＷＬＡＮプロトコルスタックアグリゲーションは、ＬＴＥパケットデータコンバージェンスプロトコル（ＰＤＣＰ）層の上で、ＷＬＡＮプロトコルスタックをアグリゲートするように構成されてよい。
【００８６】
いくつかの例示的な実施形態において、ＬＴＥプロトコルスタックアグリゲーションは、ＬＴＥ  ＰＤＣＰ層の下で、ＷＬＡＮプロトコルスタックをアグリゲートするように構成されてよい。
【００８７】
いくつかの例示的な実施形態において、ＬＴＥ／ＷＬＡＮプロトコルスタックアグリゲーションは、カプセル化プロトコルを含んでよく、これは、例えば、ＵＥ１０２とセルラノード１０４との間において例えばＷＬＡＮアクセスデバイス１０６を介してセットアップ可能なトンネルを介して、ＵＥ１０２とセルラノード１０４との間で、複数のメッセージをカプセル化するように構成されてよい。
【００８８】
いくつかの例示的な実施形態において、セルラノード１０４及び／又はＵＥ１０２は、制御プロトコル、例えば無線リソース制御（ＲＲＣ）プロトコル及び／又は任意の他のプロトコルを用いるように構成されてよく、例えば、ＵＥ１０２及びＷＬＡＮアクセスデバイス１０６が互いを発見し、ＵＥ１０２とＷＬＡＮアクセスデバイス１０６との間でＷＬＡＮリンクをセットアップ及び／又は確立することを可能とする。
【００８９】
いくつかの例示的な実施形態において、ノード１０４、ＷＬＡＮアクセスデバイス１０６、及び／又はＵＥ１０２は、マルチホーム無線ベアラ（ＭＨＲＢ）アーキテクチャに従って構成されてよく、これは、ノード１０４とＵＥ１０２との間のＤＲＢのトラフィックと通信を行う複数の無線ベアラ接続（「無線ベアラレッグ」）を含む。
【００９０】
複数の他の実施形態において、ノード１０４、ＷＬＡＮアクセスデバイス１０６、及び／又はＵＥ１０２は、任意の他のアーキテクチャに従って構成されてよい。
【００９１】
いくつかの例示的な実施形態において、ＭＨＲＢアーキテクチャは、例えば、ノード１０４とＵＥ１０２との間のセルラリンクを介して確立され得る第１の無線ベアラレッグと、ＵＥ１０２とＷＬＡＮアクセスデバイス１０６との間のＷＬＡＮリンクを介して確立され得る第２の無線ベアラレッグとを含む２つの無線ベアラレッグを含んでよい。いくつかの例示的な実施形態において、ＭＨＲＢアーキテクチャに従って、第１及び第２の無線ベアラレッグは、例えば後述されるように、例えばＣＮ１４９の複数の要素にトランスペアレントな態様で、ノード１０４において共に連結されてよい。
【００９２】
いくつかの例示的な実施形態において、単一のＤＲＢは、ＷＬＡＮリンク及びセルラリンクの両方を、例えば同時に用いてよい。
【００９３】
いくつかの例示的な実施形態において、無線ベアラレッグは、ＵＥ１０２とノード１０４との間で、例えばＵＥ１０２とＷＬＡＮアクセスデバイス１０６との間のＷＬＡＮリンクを介して、ポイントツーポイント（Ｐ２Ｐ）リンクの形で確立されてよい。
【００９４】
複数の他の実施形態において、無線ベアラレッグは、ノード１０４とＷＬＡＮアクセスデバイス１０６との間のリンク、及びＷＬＡＮアクセスデバイス１０６とＵＥ１０２との間のリンクのコンカチネーションの形で確立されてよい。
【００９５】
いくつかの例示的な実施形態において、ＵＥ１０２、ノード１０４、及び／又はＷＬＡＮアクセスデバイス１０６は、例えば後述されるように、例えば、ＵＥ１０２とＷＬＡＮアクセスデバイス１０６との間のＷＬＡＮリンクを介して形成されるＵＥ１０２とノード１０４との間の少なくとも１つのＰ２Ｐリンク１３９を介して、ＵＥ１０２とノード１０４との間で、１つ又は複数のＤＲＢをステアすることを可能とするように構成されてよい。
【００９６】
いくつかの例示的な実施形態において、コントローラ１４４は、ＵＥ１０２とＷＬＡＮアクセスデバイス１０６との間のＷＬＡＮリンクを介して、ＵＥ１０２との少なくとも１つのＰ２Ｐリンク１３９を確立するように構成されてよい。
【００９７】
いくつかの例示的な実施形態において、ノード１０４は、少なくとも１つのＰ２Ｐリンク１３９に対応する情報をＵＥ１０２に提供してよく、例えば、ＵＥ１０２がノード１０４とのＰ２Ｐリンク１３９を確立することを可能とする。例えば、ノード１０４は、Ｐ２Ｐリンク１３９に対応する情報を、１つ又は複数の無線リソース制御（ＲＲＣ）メッセージを介してＵＥ１０２に提供してよく、これらの通信は、ノード１０４とＵＥ１０２との間のセルラリンクを介して行われてよい。例えば、セルラＴＲｘ１６７は、Ｐ２Ｐリンク１３９確立要求を含むＲＲＣメッセージを、ＵＥ１０２に送信してよい。例えば、ＲＲＣメッセージは、ＷＬＡＮアクセスデバイス１０６を特定するＷＬＡＮ特定情報、及びノード１０４のトランスポートアドレスを含んでよい。ノード１０４のトランスポートアドレスは、例えば、Ｐ２Ｐリンク１３９のために用いられるべきノード１０４における終了ポートのアドレス、又はＰ２Ｐリンク１３９のためにノード１０４によって用いられるべき任意の他のアドレスを含んでよい。ＷＬＡＮ特定情報は、例えば、ＷＬＡＮアクセスデバイス１０６の名称、ＷＬＡＮアクセスデバイス１０６のサービスセット識別子（ＳＳＩＤ）、ＷＬＡＮアクセスデバイス１０６のＢＡＳＩＣサービスセット識別子（ＢＳＳＩＤ）、ＡＰ１０６のアドレス、ＷＬＡＮアクセスデバイス１０６の媒体アクセス制御（ＭＡＣ）アドレス、又はＷＬＡＮアクセスデバイス１０６によって制御されるＷＬＡＮを特定する任意の他の識別子を含んでよい。セルラＴＲｘ１６５は、ＲＲＣメッセージを受信してよく、コントローラ１４５は、例えばＷＬＡＮ特定情報及びトランスポートアドレスに基づいて、ノード１０４とのＰ２Ｐリンク１３９を確立してよい。
【００９８】
いくつかの例示的な実施形態において、任意の他のスキーム、アーキテクチャ及び／又はプロトコルは、さらに又は代替的に、例えば、ＬＴＥ／ＷＬＡＮプロトコルアグリゲーションの一部として実装されてよい。
【００９９】
いくつかの例示的な実施形態において、認証されていないエンティティ、例えば、認証されていないＵＥ又はＷＬＡＮアクセスデバイス１０６と通信可能な任意の他のデバイスは、例えば、ＷＬＡＮアクセスデバイス１０６とのＷＬＡＮリンクを介して、ノード１０４におけるアタックを搭載することを試みてよい。ノード１０４におけるこのようなアタックは、例えば、ＣＮ１４９の１つ又は複数の要素を潜在的に阻害する。
【０１００】
いくつかの例示的な実施形態において、ＵＥ１０２、ノード１０４及び／又はＷＬＡＮアクセスデバイス１０６は、ＵＥ１０２とＷＬＡＮアクセスデバイス１０６との間のＷＬＡＮリンクをセキュアにすることを可能とするように構成されてよい。
【０１０１】
いくつかの例示的な実施形態において、ＷＬＡＮリンクをセキュアにすることは、ＷＬＡＮアクセスデバイス１０６においてＵＥ１０２を認証することを含んでよく、例えば、認証されていないＳＴＡがＷＬＡＮアクセスデバイス１０６及び／又は結合されたｅＮＢ／ＡＰに接続することを防止する。
【０１０２】
いくつかの例示的な実施形態において、ＷＬＡＮリンクをセキュアにすることは、ＷＬＡＮリンクを介しての通信を暗号化することを含んでよい。
【０１０３】
いくつかの例示的な実施形態は、例えば後述されるように、Ｐ２Ｐリンク、例えば、ＵＥ１０２とセルラノード１０４との間のＰ２Ｐリンク１３９を介して、ＵＥ１０２を認証する及び／又はＵＥ１０２の通信をセキュアにするように実装されてよい。複数の他の実施形態は、ＵＥ１０２とＷＬＡＮアクセスデバイス１０６との間で任意の他のＷＬＡＮリンクを確立し、及び／又は、任意の他のＷＬＡＮリンクを介してＵＥ１０２を認証する及び／又はＵＥ１０２の通信をセキュアにするように実装されてよい。
【０１０４】
いくつかの例示的な実施形態において、ＣＮ１４９との通信及び／又はインタラクトに依存するＷＬＡＮ認証スキームを用いてＵＥ１０２を認証することは、例えば後述されるように、複雑なことがあり、効率的ではないことがあり、最適ではないことがあり、及び／又は、ＵＥ１０２ユーザのユーザ体験品質（ＱｏＥ）に影響することがある。
【０１０５】
いくつかの例示的な実施形態において、例えば、３ＧＰＰ  ＴＳ２３．４０２で定義される３ＧＰＰ機能によって実装される３ＧＰＰ−ＷＬＡＮインターワーキングのＷＬＡＮ認証スキームは、サーバ、例えば、ＣＮ１４９の認証、許可及び課金（ＡＡＡ）サーバとの通信に基づいてよい。このＷＬＡＮ認証スキームは、複雑、非効率なことがあり、及び／又は、いくつかの実装、例えば、無線アクセスネットワーク（ＲＡＮ）レベルインターワーキングを伴う実装にとっては、好適及び／又は最適ではないことがある。
【０１０６】
例えば、ノード１０４とＣＮ１４９との間のインタフェースは、例えば、インタフェースが遅延をもたらし、これがユーザ体験品質（ＱｏＥ）を低下させ得るので、効率的ではないことがある。一例において、例えば、ＲＡＮレベルインターワーキング実装において、ノード１０４のようなｅＮＢは、Ｓ１インタフェースのようなインタフェースを介して、ＣＮ１４９のようなＣＮのインタフェースをとり、ＵＥ１０２のようなＵＥを認証するプロシージャの認証実行に遅延をもたらすことがある。
【０１０７】
さらに又は代替的に、ＣＮのサーバを介してのＷＬＡＮ認証に基づくＷＬＡＮ認証スキームは、例えば認証が、例えばＵＥモビリティに起因して頻繁となり得るので、ＣＮに対して負荷の増加をもたらすことがある。
【０１０８】
いくつかの例示的な実施形態において、ＵＥ１０２、ノード１０４、及び／又はＷＬＡＮアクセスデバイス１０６は、例えば、ＵＥ１０２の認証及び／又はＵＥ１０２との通信の暗号化によって、例えば後述されるように、例えばＣＮ１４９を伴わなくても、ＵＥ１０２とのＷＬＡＮ接続をセキュアにすることを可能とするように構成されてよい。
【０１０９】
いくつかの例示的な実施形態において、１つ又は複数の異なるセキュリティ方法は、例えば後述されるように、ＬＴＥ  ＰＤＣＰ層の下でＬＴＥプロトコルスタックアグリゲーションを実装するアーキテクチャに関して、及びＬＴＥ  ＰＤＣＰ層の上でＬＴＥプロトコルスタックアグリゲーションを実装するアーキテクチャに関して、実装されてよい。
【０１１０】
いくつかの例示的な実施形態において、ＷＬＡＮ暗号化は、例えば後述されるように、例えば、ＬＴＥ  ＰＤＣＰ層の上でＬＴＥプロトコルスタックアグリゲーションを実装するアーキテクチャに関して用いられてよい。
【０１１１】
いくつかの例示的な実施形態において、ＷＬＡＮ暗号化は、例えば後述されるように、例えば、ＬＴＥ  ＰＤＣＰ層の下でＬＴＥプロトコルスタックアグリゲーションを実装するアーキテクチャに関して用いられてよい。
【０１１２】
いくつかの例示的な実施形態において、ＬＴＥ暗号化は、例えば、ＬＴＥ  ＰＤＣＰ層の下でＬＴＥプロトコルスタックアグリゲーションを実装するアーキテクチャに関して再利用されてよい。
【０１１３】
いくつかの例示的な実施形態において、ＵＥ１０２、ノード１０４及び／又はＷＬＡＮアクセスデバイス１０６は、例えば後述されるように、１つ又は複数のセキュリティスキーム（「解決手段」とも称される）に従って、ＵＥ１０２とＷＬＡＮアクセスデバイス１０６との間のＷＬＡＮリンクをセキュアにするように構成されてよい。
【０１１４】
いくつかの例示的な実施形態において、ＵＥ１０２、ノード１０４及び／又はＷＬＡＮアクセスデバイス１０６は、例えば後述されるように、第１のセキュリティスキーム（「解決手段１」）に従って、ＵＥ１０２とＷＬＡＮアクセスデバイス１０６との間のＷＬＡＮリンクをセキュアにするように構成されてよい。
【０１１５】
いくつかの例示的な実施形態において、「解決手段１」のスキームは、例えば、ＬＴＥプロトコルスタックアグリゲーションがＬＴＥ  ＰＤＣＰ層の上にある場合に実装されるように構成されてよい。
【０１１６】
いくつかの例示的な実施形態において、「解決手段１」のスキームは、例えば後述されるように、ＣＮベースのＷＬＡＮセキュリティスキームを用いるように構成されてよい。
【０１１７】
いくつかの例示的な実施形態において、ＬＴＥプロトコルスタックがＰＤＣＰ層の上でアグリゲートされる場合、ＷＬＡＮセキュリティメカニズム、例えば、ＥＡＰ−ＳＩＭによるＷＰＡエンタープライズ、又は任意の他のＷＬＡＮセキュリティメカニズムが用いられてよい。このような解決手段は、例えば、現在のセルラ及び／又はＷＬＡＮ規格に影響を有さないことがあるので、有利なことがある。しかしながら、このような解決手段は、ＣＮを伴うことがあり、及び／又は、結果的に、ＷＬＡＮがＥＰＣに対して完全にはトランスペアレントでなくなることがある。
【０１１８】
いくつかの例示的な実施形態において、ＵＥ１０２、ノード１０４及び／又はＷＬＡＮアクセスデバイス１０６は、例えば後述されるように、第２のセキュリティスキーム（「解決手段２」）に従って、ＵＥ１０２とＷＬＡＮアクセスデバイス１０６との間おＷＬＡＮリンクをセキュアにするように構成されてよい。
【０１１９】
いくつかの例示的な実施形態において、「解決手段２」のスキームは、例えば、ＬＴＥプロトコルスタックアグリゲーションがＬＴＥ  ＰＤＣＰ層の上にある場合に実装されるように構成されてよい。
【０１２０】
いくつかの例示的な実施形態において、「解決手段２」のスキームは、例えば後述されるように、例えば、ＷＬＡＮ認証及び／又は暗号化にセキュリティキーを用いるように構成されてよい。セキュリティキーは、例えば、ＷＬＡＮセキュリティキー、事前共有キー（ＰＳＫ）、例えばＷｉＦｉ保護アクセス（ＷＰＡ）ＰＳＫ、又は任意の他のキーを含んでよい。
【０１２１】
いくつかの例示的な実施形態は、本明細書において、ＰＳＫの利用に関して説明される。複数の他の実施形態において、任意の他のセキュリティキー、例えばＷＬＡＮセキュリティキーが用いられてよい。
【０１２２】
いくつかの例示的な実施形態において、セルラノード１０４及びＷＬＡＮアクセスデバイス１０６の少なくとも１つは、ＰＳＫ、例えばＷＰＡ−ＰＳＫを付与されてよい。
【０１２３】
一例において、セルラノード１０４及びＷＬＡＮアクセスデバイス１０６の少なくとも１つは、例えばＯＡＭを介してＰＳＫを付与されてよい。
【０１２４】
他の例において、セルラノード１０４及びＷＬＡＮアクセスデバイス１０６の少なくとも１つは、ＰＳＫ、例えば場合によってはワンタイムＰＳＫをランダムに生成してよい。
【０１２５】
他の例において、セルラノード１０４及びＷＬＡＮアクセスデバイス１０６の少なくとも１つは、例えば、ＵＥ毎に固有のＷＰＡ−ＰＳＫを生成してよい。
【０１２６】
いくつかの例示的な実施形態において、ＰＳＫは、例えば、セルラノード１０４とＷＬＡＮアクセスデバイス１０６との間のインタフェースを介して、セルラノード１０４とＷＬＡＮアクセスデバイス１０６との間で通信されてよい。一例において、例えばＰＳＫがＷＬＡＮアクセスデバイス１０６において生成される場合に、ＰＳＫは、内部インタフェースを介して、ＷＬＡＮアクセスデバイス１０６からセルラノード１０４に送信されてよい。他の例において、例えばＰＳＫがセルラノード１０４において生成される場合に、ＰＳＫは、内部インタフェースを介して、セルラノード１０４からＷＬＡＮアクセスデバイス１０６に送信されてよい。他の例において、ＰＳＫは、別個のモジュール、例えば、セルラノード１０４及びＷＬＡＮアクセスデバイス１０６とは別個のモジュールによって生成され、例えば内部インタフェースを介して、セルラノード１０４及びＷＬＡＮアクセスデバイス１０６の両方に送信されてよい。
【０１２７】
いくつかの例示的な実施形態において、ＷＬＡＮアクセスデバイス１０６は、例えば、認証及び／又は暗号化のために、ＰＳＫを用いてよい。
【０１２８】
いくつかの例示的な実施形態において、ＷＬＡＮアクセスデバイス１０６は、例えばＳＳＩＤ毎に１つのＰＳＫを用いることをサポートするように構成されてよい。これらの実施形態に従って、ＵＥ毎に固有のキーが用いられなくてよい。
【０１２９】
いくつかの例示的な実施形態において、ＷＬＡＮアクセスデバイス１０６は、複数のＰＳＫを、例えばユーザ毎に用いることをサポートするように構成されてよい。
【０１３０】
いくつかの例示的な実施形態において、セルラノード１０４は、例えばＲＣシグナリングを介して又は任意の他のシグナリングプロトコルに従って、ＰＳＫをＵＥ１０２に送信するように構成されてよい。
【０１３１】
いくつかの例示的な実施形態において、ＵＥ１０２におけるＬＴＥベースバンド、例えばセルラＴＲｘ１６５及び／又はコントローラ１４５のベースバンドは、例えば１つ又は複数の内部インタフェースを介して、ＵＥ１０２のＷＬＡＮベースバンド、例えばＷＬＡＮ  ＴＲｘ１６３のベースバンドに、ＰＳＫを渡してよい。
【０１３２】
いくつかの例示的な実施形態において、ＵＥ１０２、例えばコントローラ１４５は、例えばＷＬＡＮを介してＷＬＡＮアクセスデバイス１０７と通信を行う場合に、ＰＳＫを用いて、例えば、ＷＬＡＮ認証及び／又は暗号化を実行してよい。
【０１３３】
いくつかの例示的な実施形態において、「解決手段２」のスキームは、例えば、それがＣＮシグナリングを必要としないことがあり、及び／又は、セルラ及び／又はＷＬＡＮ規格に甚大な影響を有さないことがあるので、有利なことがある。
【０１３４】
いくつかの例示的な実施形態において、ランダムに生成されたワンタイムＰＳＫは、例えば、予め付与されたＰＳＫよりセキュアなことがある。ＰＳＫはＷＰＡエンタープライズと同じ暗号化を用いてよく、これはセルラシステムにおいて十分にセキュアだと考えられるが、単一のＰＳＫを全てのＵＥに用いることは、例えば、ランダムに生成されたワンタイムＰＳＫを用いることと比較して、セキュアではないことがある。
【０１３５】
いくつかの例示的な実施形態において、ＵＥ１０２、ノード１０４及び／又はＷＬＡＮアクセスデバイス１０６は、例えば後述されるように、第３のセキュリティスキーム（「解決手段３」）に従って、ＵＥ１０２とＷＬＡＮアクセスデバイス１０６との間のＷＬＡＮリンクをセキュアにするように構成されてよい。
【０１３６】
いくつかの例示的な実施形態において、「解決手段３」のスキームは、例えば、ＬＴＥプロトコルスタックアグリゲーションがＬＴＥ  ＰＤＣＰ層の上にある場合に実装されるように構成されてよい。
【０１３７】
いくつかの例示的な実施形態において、ノード１０４及び／又はＷＬＡＮアクセスデバイス１０６は、例えば後述されるように、ＵＥセキュリティキーを用いて、ＵＥ１０２とＷＬＡＮアクセスデバイス１０６との間のＷＬＡＮリンクをセキュアにするように構成されてよい。
【０１３８】
いくつかの例示的な実施形態において、ＵＥセキュリティキーは、事前共有キー（ＰＳＫ）を含んでよい。
【０１３９】
いくつかの例示的な実施形態において、ＵＥセキュリティキーは、ワイヤレスフィデリティ保護アクセス（ＷＰＡ）ＰＳＫを含んでよい。
【０１４０】
複数の他の実施形態において、ＵＥセキュリティキーは、任意の他のキーを含んでよい。
【０１４１】
いくつかの例示的な実施形態において、コントローラ１４５は、例えばＵＥセキュリティキーに基づいて、ＷＬＡＮアクセスデバイス１０６によってＵＥ１０２を認証するように構成されてよい。
【０１４２】
いくつかの例示的な実施形態において、コントローラ１４５は、例えばＵＥセキュリティキーに基づいて、ＷＬＡＮアクセスデバイス１０６との通信を暗号化するように構成されてよい。
【０１４３】
いくつかの例示的な実施形態において、ＵＥセキュリティキーは、ＵＥ固有のセキュリティキーを含んでよく、これは、ＵＥ１０２に固有であってよい。
【０１４４】
いくつかの例示的な実施形態において、ＵＥ１０２及びセルラノード１０４は、ＵＥセキュリティキーを、例えば互いに別個に決定するように構成されてよい。
【０１４５】
いくつかの例示的な実施形態において、ＵＥセキュリティキーは、例えば、セルラノード１０４からＵＥ１０２へのＵＥセキュリティキーの転送を必要とすることなく、ＵＥ１０２によって決定されてよい。これは、例えば、セルラノードからＵＥに通信される解決手段２のスキームのＰＳＫとは対照的である。
【０１４６】
いくつかの例示的な実施形態において、コントローラ１４５は、例えば後述されるように、セルラノード１０４に対応するセルラセキュリティキーに基づいて、ＵＥセキュリティキーを決定するように構成されてよい。
【０１４７】
いくつかの例示的な実施形態において、コントローラ１４５は、例えば後述されるように、例えばＵＥセキュリティキーに基づいて、ＷＬＡＮアクセスデバイス１０６との接続を確立するように構成されてよい。
【０１４８】
いくつかの例示的な実施形態において、コントローラ１４５は、例えばＵＥセキュリティキーに基づいて、ＷＬＡＮアクセスデバイス１０６によりＵＥ１０２を認証するように構成されてよい。
【０１４９】
いくつかの例示的な実施形態において、コントローラ１４５は、例えばＵＥセキュリティキーに基づいて、ＷＬＡＮアクセスデバイス１０６との通信を暗号化するように構成されてよい。
【０１５０】
いくつかの例示的な実施形態において、コントローラ１４５は、例えば後述されるように、セルラノード１０４に対応する、ＫｅＮＢと示されるｅＮＢセキュリティキーを含むセルラセキュリティキーに基づいて、ＵＥセキュリティキーを決定するように構成されてよい。複数の他の実施形態において、コントローラ１４５は、任意の他の追加的又は代替的なキー及び／又はセルラノード１０４及び／又はＷＬＡＮアクセスデバイス１０６に対応する情報に基づいて、ＵＥセキュリティキーを決定するように構成されてよい。
【０１５１】
いくつかの例示的な実施形態において、ＵＥ１０２は、例えば、ＫＡＳＭＥと示されるアクセスセキュリティ管理エンティティ（ＡＳＭＥ）キーに基づいて、セキュリティキーＫｅＮＢを決定するように構成されてよい。
【０１５２】
一例において、コントローラ１４５は、例えば、セルラノード１０４によって制御されているセルにＵＥ１０２をハンドオーバするときに、セルラノード１０４に対応するキーＫｅＮＢを決定するように構成されてよい。
【０１５３】
複数の他の実施形態において、ＵＥ１０２は、例えば任意の他のキー又は情報に基づいて、セキュリティキーＫｅＮＢを決定するように構成されてよい。
【０１５４】
いくつかの例示的な実施形態において、コントローラ１４４は、例えば、セルラノード１０４に対応するセルラセキュリティキーに基づいて、ＵＥ１０２に対応するＵＥセキュリティキーを決定するように構成されてよい。
【０１５５】
いくつかの例示的な実施形態において、コントローラ１４４は、例えば、ＵＥ１０２におけるＵＥセキュリティキーの決定とは別個に、ＵＥ１０２に対応するＵＥセキュリティキーを決定するように構成されてよい。
【０１５６】
いくつかの例示的な実施形態において、コントローラ１４４は、セルラノード１０４に対応するキーＫｅＮＢを含むセルラセキュリティキーに基づいて、ＵＥセキュリティキーを決定するように構成されてよい。複数の他の実施形態において、コントローラ１４４は、任意の他の追加的又は代替的なキー及び／又はセルラノード１０４及び／又はＷＬＡＮアクセスデバイス１０６に対応する情報に基づいて、ＵＥセキュリティキーを決定するように構成されてよい。
【０１５７】
いくつかの例示的な実施形態において、コントローラ１４４は、例えばキーＫＡＳＭＥに基づき得るセキュリティキーＫｅＮＢを付与されてよい。
【０１５８】
一例において、セルラノード１０４は、例えば、セルラノード１０４によって制御されるセルにＵＥ１０２をハンドオーバするときに、例えばＣＮ１４９におけるモビリティ管理エンティティ（ＭＭＥ）のようなネットワークエンティティから、セルラノード１０４に対応するキーＫｅＮＢを受信するように構成されてよい。
【０１５９】
複数の他の実施形態において、セルラノード１０４に対応するキーＫｅＮＢは、例えば任意の他のキー又は情報に基づいて、決定され及び／又はコントローラ１４４に提供されてよい。
【０１６０】
いくつかの例示的な実施形態において、セルラノード１０４は、例えばＷＬＡＮアクセスデバイスインタフェース１７１を介して、ＵＥ１０２に対応するＵＥセキュリティキーをＷＬＡＮアクセスデバイス１０６に送信してよい。
【０１６１】
いくつかの例示的な実施形態において、コントローラ１４４は、アクセスデバイスインタフェース１７１に、ＵＥ１０２に対応するセキュリティ情報を、ＷＬＡＮアクセスデバイス１０６に送信させてよい。例えば、セキュリティ情報は、ＵＥ１０２のＷＬＡＮ識別子及びＵＥ１０２に対応するＵＥセキュリティキーを含んでよい。
【０１６２】
いくつかの例示的な実施形態において、ＷＬＡＮアクセスデバイス１０６は、例えばインタフェース１９２を介して、ＷＬＡＮセキュリティ情報をセルラノード１０４から受信してよい。
【０１６３】
いくつかの例示的な実施形態において、コントローラ１９４は、セキュリティ情報を用いて、ＷＬＡＮアクセスデバイス１０６と関連付け、及び／又はＷＬＡＮアクセスデバイス１０６とＵＥ１０２との間の通信を暗号化するＵＥ１０２の試みを認証してよい。
【０１６４】
いくつかの例示的な実施形態において、コントローラ１４４及び／又はコントローラ１４５は、例えば後述されるように、例えば、ＵＥ１０２に対応する１つ又は複数のパラメータ、ＷＬＡＮアクセスデバイス１０６に対応する１つ又は複数のパラメータ、及び／又はセルラノード１０４に対応する１つ又は複数のパラメータに基づいて、ＵＥ１０２に対応するＵＥセキュリティキーを決定するように構成されてよい。
【０１６５】
いくつかの例示的な実施形態において、ＵＥ１０２に対応する１つ又は複数のパラメータに基づいて、ＵＥ１０２に対応するＵＥセキュリティキーを決定することは、例えば、ＵＥ１０２に固有たり得るＵＥセキュリティキーを生成することを可能とし、例えば、複数の異なるＵＥに対して異なるＵＥセキュリティキーを用いることを可能としてよい。
【０１６６】
いくつかの例示的な実施形態において、ＷＬＡＮアクセスデバイス１０６に対応する１つ又は複数のパラメータに基づいて、ＵＥ１０２に対応するＵＥセキュリティキーを決定することは、例えば、ＷＬＡＮアクセスデバイス１０６に固有たり得るＵＥセキュリティキーを生成することを可能とし、例えば、複数の異なるＷＬＡＮアクセスデバイスに対して異なるＵＥセキュリティキーを用いることを可能としてよい。
【０１６７】
いくつかの例示的な実施形態において、セルラノード１０４に対応する１つ又は複数のパラメータに基づいて、ＵＥ１０２に対応するＵＥセキュリティキーを決定することは、例えば、セルラノード１０４に固有たり得るＵＥセキュリティキーを生成することを可能とし、例えば、複数の異なるセルラノードに対して異なるＵＥセキュリティキーを用いることを可能としてよい。
【０１６８】
いくつかの例示的な実施形態において、コントローラ１４５は、例えば、ＷＬＡＮアクセスデバイス１０６の識別子に基づいて、ＵＥ１０２に対応するＵＥセキュリティキーを決定するように構成されてよい。
【０１６９】
いくつかの例示的な実施形態において、コントローラ１４４は、例えば、ＷＬＡＮアクセスデバイス１０６の識別子に基づいて、ＵＥ１０２に対応するＵＥセキュリティキーを決定するように構成されてよい。
【０１７０】
いくつかの例示的な実施形態において、ＷＬＡＮアクセスデバイス１０６の識別子は、ＷＬＡＮアクセスデバイス１０６の媒体アクセス制御（ＭＡＣ）アドレス、ＷＬＡＮアクセスデバイス１０６のサービスセット識別子（ＳＳＩＤ）、及び／又は任意の他の識別子を含んでよい。
【０１７１】
いくつかの例示的な実施形態において、ＵＥ１０２は、例えばセルラノード１０４から、ＷＬＡＮアクセスデバイス１０６の識別子を受信してよい。
【０１７２】
いくつかの例示的な実施形態において、コントローラ１４４は、セルラＴＲｘ１６７に、ＷＬＡＮアクセスデバイス１０６の識別子を含むメッセージをＵＥ１０２に送信させるように構成されてよい。
【０１７３】
いくつかの例示的な実施形態において、コントローラ１４４は、セルラＴＲｘ１６７に、ＷＬＡＮアクセスデバイス１０６の識別子を含む無線リソース制御（ＲＲＣ）メッセージをＵＥ１０２に送信させるように構成されてよい。複数の他の実施形態において、ＷＬＡＮアクセスデバイス１０６の識別子は、任意の他のタイプのメッセージを介して送信されてよい。
【０１７４】
いくつかの例示的な実施形態において、セルラ送受信機１６５は、ＷＬＡＮアクセスデバイス１０６の識別子を含むメッセージ、例えばＲＲＣメッセージを受信してよく、コントローラ１４５は、ＷＬＡＮアクセスデバイス１０６の識別子に基づいて、ＵＥ１０２に対応するＵＥセキュリティキーを決定してよい。
【０１７５】
いくつかの例示的な実施形態において、コントローラ１４５は、例えば、ＵＥ１０２の識別子に基づいて、ＵＥ１０２に対応するＵＥセキュリティキーを決定するように構成されてよい。
【０１７６】
いくつかの例示的な実施形態において、コントローラ１４４は、例えば、ＵＥ１０２の識別子に基づいて、ＵＥ１０２に対応するＵＥセキュリティキーを決定するように構成されてよい。
【０１７７】
いくつかの例示的な実施形態において、ＵＥ１０２の識別子は、ＵＥ１０２の媒体アクセス制御（ＭＡＣ）アドレス、及び／又は任意の他の識別子を含んでよい。
【０１７８】
いくつかの例示的な実施形態において、セルラノード１０４は、例えばＵＥ１０２から、ＵＥ１０２の識別子を受信してよい。
【０１７９】
いくつかの例示的な実施形態において、コントローラ１４５は、セルラＴＲｘ１６５に、ＵＥ１０２の識別子を含むメッセージをセルラノード１０４に送信させるように構成されてよい。
【０１８０】
いくつかの例示的な実施形態において、コントローラ１４５は、セルラＴＲｘ１６５に、ＵＥ１０２の識別子を含むＲＲＣメッセージをセルラノード１０４に送信させるように構成されてよい。複数の他の実施形態において、ＵＥ１０２の識別子は、任意の他のタイプのメッセージを介して送信されてよい。
【０１８１】
いくつかの例示的な実施形態において、セルラ送受信機１６７は、ＵＥ１０２の識別子を含むメッセージ、例えばＲＲＣメッセージを受信してよく、コントローラ１４４は、ＵＥ１０２の識別子に基づいて、ＵＥ１０２に対応するＵＥセキュリティキーを決定してよい。
【０１８２】
いくつかの例示的な実施形態において、統合ｅＮＢ／ＡＰは、上述されたように、ＷＬＡＮアクセスデバイス１０６のようなＷＬＡＮアクセスデバイスに結合されるｅＮＢ、例えばセルラノード１０４を含んでよい。ｅＮＢ、例えばセルラノード１０４は、例えば上述されたように、例えばキーＫｅＮＢに基づいて、ＵＥ１０２に対応するＷＰＡ−ＰＳＫを生成してよい。
【０１８３】
いくつかの例示的な実施形態において、ｅＮＢ、例えばセルラノード１０４は、例えば、インタフェース１７１及び１９２のような内部インタフェースを介して、ＷＬＡＮアクセスデバイス１０４のようなｅＮＢに結合され得るＡＰ、例えば統合ＡＰに、ＵＥ１０２に対応するＷＰＡ−ＰＳＫを渡してよい。
【０１８４】
いくつかの例示的な実施形態において、ＵＥ１０２は、例えば上述されたように、例えばキーＫｅＮＢに基づいて、ＵＥ１０２に対応するＷＰＡ−ＰＳＫを生成してよい。
【０１８５】
いくつかの例示的な実施形態において、ＵＥ１０２におけるＬＴＥベースバンド、例えばコントローラ１４５のベースバンドは、ＵＥ１０２の統合ＷＬＡＮベースバンドに、ＵＥ１０２に対応するＷＰＡ−ＰＳＫを渡してよい。
【０１８６】
いくつかの例示的な実施形態において、ｅＮＢ／ＡＰ及びＵＥ１０２は、ＵＥ１０２に対応するＷＰＡ−ＰＳＫを用いて、例えば、ＷＬＡＮ認証及び／又は暗号化を実行してよい。
【０１８７】
いくつかの例示的な実施形態において、ＵＥ１０２に対応するセキュリティキーは、例えば上述されたように、１つ又は複数のセルラセキュリティキー、例えば、キーＫｅＮＢのような１つ又は複数のＬＴＥセキュリティキーに基づいて、導出されてよい。
【０１８８】
いくつかの例示的な実施形態において、ＵＥ１０２に対応するセキュリティキーは、例えば、ＲＦＣ４７６４に定義されるような拡張可能認証プロトコル（ＥＡＰ）−ＰＳＫ（ＥＡＰ−ＰＳＫ）認証プロトコルを用いて、導出されてよい。複数の他の実施形態において、ＵＥ１０２に対応するセキュリティキーは、任意の他の追加的又は代替的なプロトコルに従って、導出されてよい。
【０１８９】
いくつかの例示的な実施形態において、セルラノード１０４及び／又はＵＥ１０２は、セルラセキュリティキーから導出され得るキーを、例えばＵＥセキュリティキーを、ＷＬＡＮアクセスデバイス１０４のようなサードパーティと共有するように構成されてよい。しかしながら、いくつかの例示的な実施形態において、セルラノード１０４及び／又はＵＥ１０２は、例えばセルラセキュリティキーのセキュリティを低下させないように、ＵＥセキュリティキーを導出するために用いられるセルラセキュリティキーを、セルラノード１０４及びＵＥ１０２を含む「セキュアな環境」内で保持するように構成されてよい。
【０１９０】
いくつかの例示的な実施形態において、ＵＥ１０２、ノード１０４及び／又はＷＬＡＮアクセスデバイス１０６は、例えば後述されるように、第４のセキュリティスキーム（「解決手段４」）に従って、ＵＥ１０２とＷＬＡＮアクセスデバイス１０６との間おＷＬＡＮリンクをセキュアにするように構成されてよい。
【０１９１】
いくつかの例示的な実施形態において、「解決手段４」のスキームは、例えば、ＬＴＥプロトコルスタックアグリゲーションがＬＴＥ  ＰＤＣＰ層の下にある場合に実装されるように構成されてよい。
【０１９２】
いくつかの例示的な実施形態において、ＵＥ１０２、ノード１０４及び／又はＷＬＡＮアクセスデバイス１０６は、例えば後述されるように、例えば、ＷＬＡＮリンクをセキュアにするＬＴＥ暗号化のようなセルラ暗号化を再利用することによって、ＵＥ１０２とＷＬＡＮアクセスデバイス１０６との間のＷＬＡＮリンクをセキュアにするように構成されてよい。
【０１９３】
いくつかの例示的な実施形態において、ＵＥ１０２は、例えば、「オープンな」認証モードで動作するＷＬＡＮアクセスデバイス１０６に関連付けてよく、これは、認証及び／又はＷＬＡＮ暗号化を用いることなく動作するように構成されてよい。
【０１９４】
いくつかの例示的な実施形態において、ＷＬＡＮアクセスデバイス１０６及びＵＥ１０２は、ＷＬＡＮリンクを介して、複数のＰＤＣＰプロトコルデータユニット（ＰＤＵ）の通信を行ってよい。複数のＰＤＣＰ  ＰＤＵは、例えばセルラ暗号化を用いて、既に暗号化されていてよく、例えば、ＷＬＡＮアクセスデバイス１０６を介して、セルラノード１０４とＵＥ１０２との間で、例えばトンネリングのように転送され又は任意の他の態様で転送されてよい。
【０１９５】
いくつかの例示的な実施形態は、本明細書において、ＷＬＡＮリンクを介して複数のＰＤＣＰ  ＰＤＵの通信を行うことに関して説明される。複数の他の実施形態において、複数の任意の他のＰＤＵ、例えば、無線リンク制御（ＲＬＣ）ＰＤＵ、ＭＡＣ  ＰＤＵ、又は任意の他のＰＤＵは、ＷＬＡＮリンクを介して通信されてよい。
【０１９６】
いくつかの例示的な実施形態において、「解決手段４」のスキームは、例えば、それがＬＴＥセキュリティを再利用してよく、及び／又はＣＮシグナリングを伴わなくてよいので、有利なことがある。しかしながら、「解決手段４」のスキームがＷＬＡＮ認証を提供することは不可能なことがあり、例えば、ＷＬＡＮアクセスデバイス１０６への「不正な」ＳＴＡの関連付けを無効化する追加手段が用いられない限り、このような関連付けの可能性がある。
【０１９７】
いくつかの例示的な実施形態において、ＵＥ１０２、ノード１０４及び／又はＷＬＡＮアクセスデバイス１０６は、例えば後述されるように、第５のセキュリティスキーム（「解決手段５」）に従って、ＵＥ１０２とＷＬＡＮアクセスデバイス１０６との間おＷＬＡＮリンクをセキュアにするように構成されてよい。
【０１９８】
いくつかの例示的な実施形態において、「解決手段５」のスキームは、例えば、ＬＴＥプロトコルスタックアグリゲーションがＬＴＥ  ＰＤＣＰ層の下にある場合に実装されるように構成されてよい。
【０１９９】
いくつかの例示的な実施形態において、ＵＥ１０２、ノード１０４及び／又はＷＬＡＮアクセスデバイス１０６は、例えば後述されるように、例えば、ＷＬＡＮリンクをセキュアにするＬＴＥ暗号化のようなセルラ暗号化を再利用することによって、例えば、ＷＬＡＮ側における関連付けを実行することなく、ＵＥ１０２とＷＬＡＮアクセスデバイス１０６との間のＷＬＡＮリンクをセキュアにするように構成されてよい。
【０２００】
いくつかの例示的な実施形態において、セルラノード１０４及びＵＥ１０２は、例えばＷＬＡＮアクセスデバイス１０６を介して、例えば、エンハンスドＲＲＣシグナリング又は任意の他のプロトコルを用いて、セルラノード１０４とＵＥ１０２との間でリンクを確立するように構成されてよい。
【０２０１】
いくつかの例示的な実施形態において、ＷＬＡＮアクセスデバイス１０６及びＵＥ１０２は、例えば、ＵＥ１０２がＷＬＡＮアクセスデバイス１０６への関連付けを実行することなく、ＷＬＡＮリンクを確立してよい。
【０２０２】
いくつかの例示的な実施形態において、ＷＬＡＮアクセスデバイス１０６を介してＵＥ１０２とセルラノード１０４との間にリンクを確立した後で、ＵＥ１０２及びセルラノード１０４は、例えば、ＷＬＡＮ認証及び関連付けハンドシェイクを実行することなく、ＷＬＡＮリンクを介してメッセージを交換してよい。
【０２０３】
いくつかの例示的な実施形態において、ＷＬＡＮアクセスデバイス１０６及びＵＥ１０２は、ＷＬＡＮリンクを介して複数のＰＤＣＰ  ＰＤＵの通信を実行してよい。複数のＰＤＣＰ  ＰＤＵは、例えばセルラ暗号化を用いて、既に暗号化されていてよく、例えば、ＷＬＡＮアクセスデバイス１０６を介して、例えば、セルラノード１０４とＵＥ１０２との間で転送されてよい。
【０２０４】
いくつかの例示的な実施形態において、ＷＬＡＮアクセスデバイス１０６及びＵＥ１０２は、例えば、ＵＥ１０２とＷＬＡＮアクセスデバイス１０６との間で関連付けを実行することなく、ＷＬＡＮリンクを介して複数のＰＤＣＰ  ＰＤＵの通信を実行してよい。
【０２０５】
いくつかの例示的な実施形態において、ＷＬＡＮアクセスデバイスは、例えば、関連付け及び／又は認証が無効化される一方で、ＷＬＡＮを介して通信を行うように構成されてよい。
【０２０６】
いくつかの例示的な実施形態において、複数の「不正な」ＳＴＡは、例えば、関連付け及び／又は認証が無効化される一方で、結合されたｅＮＢ／ＡＰに接続不可能であってよい。
【０２０７】
いくつかの例示的な実施形態において、セルラノード１０４は、ＵＥ１０２が関連付けも認証もされていない状態でＷＬＡＮアクセスデバイス１０６と通信を行うことを示す情報を、ＷＬＡＮアクセスデバイス１０６に提供するように構成されてよい。
【０２０８】
いくつかの例示的な実施形態において、コントローラ１４４は、インタフェース１７１に、ＵＥ１０２のＷＬＡＮ識別子と、ＵＥ１０２との通信が関連付けも認証もされていない状態で実行されるというインジケーションとを、ＷＬＡＮアクセスデバイスに送信させてよい。
【０２０９】
いくつかの例示的な実施形態において、インタフェース１９２は、ＵＥ１０２のＷＬＡＮ識別子と、ＵＥ１０２との通信が関連付けも認証もされていない状態で実行されるというインジケーションとを、セルラノード１０４から受信してよい。
【０２１０】
いくつかの例示的な実施形態において、コントローラ１９４は、ＵＥ１０２のＷＬＡＮ識別子及び当該インジケーションに基づいて、ＷＬＡＮ送受信機１９６に、ＷＬＡＮ送受信機１９６とＵＥ１０２との間で関連付けも認証もされていないリンクを介して複数のパケットの通信を実行させるように構成されてよい。複数のパケットは、例えば上述されたように、セルラマネジャ１０４とＵＥ１０２との間の通信をカプセル化してよい。
【０２１１】
いくつかの例示的な実施形態において、ＵＥ１０２のＷＬＡＮ識別子は、例えば、ＵＥ１０２のＭＡＣアドレス、ＵＥ１０２の認証識別子、又はＷＬＡＮにおいてＵＥ１０２を特定する任意の他の識別子を含んでよい。
【０２１２】
いくつかの例示的な実施形態において、コントローラ１９４は、セルラノード１０４によって特定されたＵＥのみに、ＷＬＡＮアクセスデバイス１０６と通信を行うことを許可するように構成されてよい。
【０２１３】
いくつかの例示的な実施形態において、コントローラ１９４は、ＷＬＡＮ送受信機１９６に、例えば、ＵＥのＷＬＡＮ識別子がセルラマネジャ１０４から受信されない場合に、ＵＥからのパケットを拒否させるように構成されてよい。
【０２１４】
いくつかの例示的な実施形態において、ＵＥ１０２、セルラノード１０４、及び／又はＷＬＡＮアクセスデバイス１０６は、例えば後述されるように、ダイナミックＷＬＡＮ  ＭＡＣアドレスホワイトリストメカニズムを用いるように構成されてよい。
【０２１５】
いくつかの例示的な実施形態において、ダイナミックＷＬＡＮ  ＭＡＣアドレスホワイトリストメカニズムは、例えば、「ダイナミック」ＷＬＡＮ  ＭＡＣアドレスホワイトリストを用いて、例えば、ＷＬＡＮアクセスデバイス１０６の認証機能の向上を可能としてよい。
【０２１６】
いくつかの例示的な実施形態において、ＵＥ１０２は、例えば、エンハンスドＲＲＣ又は任意の他のメッセージングもしくはシグナリングプロトコルのようなセキュアな制御プロトコルを介して、ＵＥ１０２のＷＬＡＮ識別子をセルラノード１０４に送信するように構成されてよい。
【０２１７】
いくつかの例示的な実施形態において、セルラノード１０４に接続されるＵＥ、例えばＵＥ１０２のＷＬＡＮ識別子は、ＷＬＡＮ識別子のリスト、例えば、ＷＬＡＮアクセスデバイス１０６においてダイナミックに更新され得るダイナミックＷＬＡＮ  ＭＡＣホワイトリストに維持されてよい。
【０２１８】
いくつかの例示的な実施形態において、ＷＬＡＮアクセスデバイス１０６は、例えば、ホワイトリストに含まれるＭＡＣアドレスを有するＵＥからのＷＬＡＮパケットのみを受け付けるように構成されてよい。
【０２１９】
いくつかの例示的な実施形態において、コントローラ１９４は、例えば上述されたように、セルラマネジャ１０４から受信された複数のＷＬＡＮ識別子のリストを管理するように構成されてよい。
【０２２０】
いくつかの例示的な実施形態において、コントローラ１９４は、ＷＬＡＮ送受信機１９６に、リストに含まれるＷＬＡＮ識別子を有するＵＥからのパケットのみを受け付けさせるように構成されてよい。
【０２２１】
いくつかの例示的な実施形態において、「解決手段５」のスキームは、例えば、それがＬＴＥセキュリティを再利用してよく、ＣＮシグナリングを伴わなくてよく、例えばＷＬＡＮ認証及び関連付けの排除によってＷＬＡＮ接続時間の削減を可能にしてよく、及び／又は、「不正な」ＳＴＡが結合されたｅＮＢ／ＡＰに接続することを防止できるので、有利なことがある。いくつかのシナリオにおいて、「解決手段４」のスキームは、ＵＥの機能及び／又はＷＬＡＮ仕様への複数の変更を伴ってよい。
【０２２２】
いくつかの例示的な実施形態において、ＵＥ１０２、ノード１０４及び／又はＷＬＡＮアクセスデバイス１０６は、例えば後述されるように、第６のセキュリティスキーム（「解決手段６」）に従って、ＵＥ１０２とＷＬＡＮアクセスデバイス１０６との間おＷＬＡＮリンクをセキュアにするように構成されてよい。
【０２２３】
いくつかの例示的な実施形態において、「解決手段６」のスキームは、例えば、ＬＴＥプロトコルスタックアグリゲーションがＬＴＥ  ＰＤＣＰ層の下にある場合に実装されるように構成されてよい。
【０２２４】
いくつかの例示的な実施形態において、ＵＥ１０２、ノード１０４及び／又はＷＬＡＮアクセスデバイス１０６は、例えば後述されるように、例えば、ＷＬＡＮリンクをセキュアにするＬＴＥ暗号化のようなセルラ暗号化を再利用することによって、ＵＥ１０２とＷＬＡＮアクセスデバイス１０６との間のＷＬＡＮリンクをセキュアにするように構成されてよい。
【０２２５】
いくつかの例示的な実施形態において、ＵＥ１０２は、例えば、「オープンな」認証モードで動作するＷＬＡＮアクセスデバイス１０６に関連付けてよく、これは、認証及び／又はＷＬＡＮ暗号化を用いることなく動作するように構成されてよい。
【０２２６】
いくつかの例示的な実施形態において、ＷＬＡＮアクセスデバイス１０６及びＵＥ１０２は、ＷＬＡＮリンクを介して複数のＰＤＣＰ  ＰＤＵの通信を実行してよい。複数のＰＤＣＰ  ＰＤＵは、例えばセルラ暗号化を用いて、既に暗号化されていてよく、例えば、ＷＬＡＮアクセスデバイス１０６を介して、例えば、セルラノード１０４とＵＥ１０２との間で、トンネリングのように転送され又は任意の他の態様で転送されてよい。
【０２２７】
いくつかの例示的な実施形態において、セルラノード１０４は、例えば後述されるように、例えば、ＷＬＡＮアクセスデバイス１０６を介してのセルラノード１０４とＵＥ１０２との間における通信リンク（「ＷＬＡＮベースのリンク」）を介してＷＬＡＮアクセスデバイス１０６に接続されるＵＥのフォローアップ監査又は確認を実行するように構成されてよい。
【０２２８】
いくつかの例示的な実施形態において、ＷＬＡＮアクセスデバイス１０６を介してのセルラノード１０４とＵＥ１０２との間におけるＷＬＡＮベースのリンクは、ノード１０４とＷＬＡＮアクセスデバイス１０６との間のリンク、及びＷＬＡＮアクセスデバイス１０６とＵＥ１０２との間のリンクのコンカチネーションの形で確立されてよい。
【０２２９】
複数の他の実施形態において、ＷＬＡＮアクセスデバイス１０６を介してのセルラノード１０４とＵＥ１０２との間におけるＷＬＡＮベースのリンクは、ＷＬＡＮアクセスデバイス１０６を介してのＵＥ１０２とセルラノード１０４との間におけるポイントツーポイントリンクの形で確立されてよい。
【０２３０】
複数の他の実施形態において、ＷＬＡＮアクセスデバイス１０６を介してのセルラノード１０４とＵＥ１０２との間におけるＷＬＡＮベースのリンクは、任意の他の形で確立されてよい。
【０２３１】
いくつかの例示的な実施形態において、ＷＬＡＮアクセスデバイス１０６を介してのセルラノード１０４とＵＥ１０２との間におけるＷＬＡＮベースのリンクは、セキュア、例えば暗号化されたリンクとして確立されてよい。
【０２３２】
いくつかの例示的な実施形態において、セルラノード１０４は、セルラノード１０４とＵＥ１０２との間で、ＷＬＡＮアクセスデバイス１０６を介してのセルラノード１０４とＵＥ１０２との間のＷＬＡＮベースのリンクを介して、フォローアップ認証段階を実行するように構成されてよい。
【０２３３】
いくつかの例示的な実施形態において、セルラノード１０４は、例えば、ＵＥ１０２とセルラノード１０４との間のセルラリンクを介して、例えば、ＲＣシグナリング及び／又は任意の他のメッセージ又はシグナリングを用いて、ＵＥ１０２と秘密キーを共有してよい。
【０２３４】
いくつかの例示的な実施形態において、セルラノード１０４は、ＷＬＡＮアクセスデバイス１０６を介してのセルラノード１０４とＵＥ１０２との間の暗号化されたＷＬＡＮベースのリンクを介して、秘密キーを転送、例えばトンネリングしてよい。
【０２３５】
いくつかの例示的な実施形態において、その秘密キーがＵＥにおいて正確に受信されるＳＴＡのみが、ＷＬＡＮリンクに関連付けられた状態を維持することを許可されてよい。全ての「不正な」ＳＴＡは、これらがＬＴＥ側において適切に認証されなかった場合に、ＷＬＡＮ  ＡＰから切り離されることを余儀なくされる。
【０２３６】
いくつかの例示的な実施形態において、コントローラ１４４は、例えばＷＬＡＮアクセスデバイス１０６を介して、セルラノード１０４とＵＥ１０２との間でＷＬＡＮベースのリンクを確立するように構成されてよい。
【０２３７】
いくつかの例示的な実施形態において、コントローラ１４４は、ＵＥ照合キーを決定し、セルラリンクを介してＵＥ照合キーをＵＥに送信するように構成されてよい。
【０２３８】
いくつかの例示的な実施形態において、コントローラ１４４は、セルラ送受信機１６７に、ＵＥ照合キーを含むＲＣメッセージをＵＥ１０２に送信させてよい。複数の他の実施形態において、コントローラ１４４は、セルラ送受信機１６７に、ＵＥ照合キーを含む任意の他のメッセージをＵＥ１０２に送信させてよい。
【０２３９】
いくつかの例示的な実施形態において、セルラ送受信機１６５は、セルラノード１０４からＵＥ照合キーを受信してよい。
【０２４０】
いくつかの例示的な実施形態において、コントローラ１４５は、ＵＥ１０２とＷＬＡＮアクセスデバイス１０４６との間における関連付けされているが認証されていないＷＬＡＮリンクを介して、ＵＥ１０２とセルラノード１０４との間でＷＬＡＮベースのリンクを確立し、ポイントツーポイントリンクを介して、ＵＥ照合キーをセルラノード１０４に送信するように構成されてよい。
【０２４１】
いくつかの例示的な実施形態において、コントローラ１４５は、ＷＬＡＮベースのリンクを確立してから予め定められた時間内に、ＷＬＡＮベースのリンクを介してＵＥ照合キーを送信するように構成されてよい。
【０２４２】
いくつかの例示的な実施形態において、例えば、ＵＥ照合キーが、予め定められた時間内にＷＬＡＮベースのリンクを介してＵＥ１０２から受信されない場合に、コントローラ１４４は、ＷＬＡＮアクセスデバイス１０６に、ＵＥ１０２から切り離すことを要求するように構成されてよい。
【０２４３】
いくつかの例示的な実施形態において、ＵＥ１０２、ノード１０４及び／又はＷＬＡＮアクセスデバイス１０６は、例えば後述されるように、第７のセキュリティスキーム（「解決手段７」）に従って、ＵＥ１０２とＷＬＡＮアクセスデバイス１０６との間おＷＬＡＮリンクをセキュアにするように構成されてよい。
【０２４４】
いくつかの例示的な実施形態において、「解決手段７」のスキームは、例えば、ＬＴＥプロトコルスタックアグリゲーションがＬＴＥ  ＰＤＣＰ層の下にある場合に実装されるように構成されてよい。
【０２４５】
いくつかの例示的な実施形態において、「解決手段７」のスキームは、例えば後述されるように、事前共有キーを用いて、「解決手段５」のスキームの１つ又は複数の動作を、例えばＷＬＡＮ認証と組み合わせることを含んでよい。
【０２４６】
いくつかの例示的な実施形態において、ＵＥ１０２は、認証のためのＷＰＡ方法を用いるように構成されてよく、ＷＰＡプロトコルの複数の事前共有キーは、生成されて、セルラノード１０４とＵＥ１０２との間のセキュアなＲＲＣリンクを介して交換されてよい。ＷＰＡプロトコルの複数の事前共有キーは、例えば上述されたように、例えば内部インタフェースを介して、同じ場所に位置するＡＰ、例えばＷＬＡＮアクセスデバイス１０６に認識される状態にされてよい。
【０２４７】
いくつかの例示的な実施形態において、ＷＰＡのセキュリティの欠点は、例えば、同じキーを再利用せず、例えば、異なる固有のキーがＵＥ毎に用いられてよいので、露呈されないことがある。複数の事前共有キーは、例えばＲＲＣリンクを用いて、例えばいつでも、再生成及び更新されてよい。
【０２４８】
いくつかの例示的な実施形態において、いくつかのシナリオ、実装及び／又はユースケースでは、２つ又はそれより多くのＷＬＡＮセキュリティスキーム、例えば、上述された解決手段１−７の２つ又はそれより多くのいくつか又は全ての動作は、組み合わせられてよい。
【０２４９】
一例において、ＵＥ１０２、セルラノード１０４、及び／又はＷＬＡＮアクセスデバイス１０６は、ＷＬＡＮセキュリティスキームを用いるように構成されてよく、これは、認証のために、ＬＴＥ  ＰＤＣＰ層の下のＬＴＥプロトコルスタックアグリゲーションを用いてよく、ＬＴＥ暗号化を再利用してよく、ＷＰＡ、例えば、解決手段１に示されるようなＷＰＡエンタープライズ、又は解決手段２に示されるようなＷＰＡ  ＰＳＫに依存してよい。
【０２５０】
他の例において、「解決手段２」のスキーム又は「解決手段３」のスキームの１つ又は複数の動作は、「解決手段４」のスキーム、「解決手段５」のスキーム、「解決手段６」のスキーム及び／又は「解決手段７」のスキームの１つ又は複数の動作と共に用いられてよい。例えば、このような組み合わせは、例えばＷＰＡに基づく認証、及び、例えばＬＴＥセキュリティに基づく暗号化を提供してよい。
【０２５１】
いくつかの例示的な実施形態において、ＷＬＡＮアクセスデバイス１０６は、例えばＷＬＡＮアクセスデバイス１０６の識別子、例えばＷＬＡＮアクセスデバイス１０６のＳＳＩＤをブロードキャストしないことによって、ＷＬＡＮ「隠し」モードで動作し、例えば、ＷＬＡＮのセキュリティを向上させるように構成されてよい。これらの実施形態に従って、セルラノード１０４は、例えば、エンハンスドＲＲＣシグナリングを介して、ＷＬＡＮアクセスデバイスのＷＬＡＮ識別子をＵＥ１０２に提供するように構成されてよい。
【０２５２】
参照される図２は、いくつかの例示的な実施形態に係るＷＬＡＮにおいてＵＥの通信をセキュアにする方法を模式的に示す。いくつかの実施形態において、図２の方法の複数の動作の１つ又は複数は、システム１００（図１）、ＵＥ１０２（図１）、ノード１０４（図１）、ＷＬＡＮアクセスデバイス１０６（図１）、コントローラ１４５（図１）、コントローラ１４４（図１）、及び／又はコントローラ１９４（図１）によって実行されてよい。
【０２５３】
ブロック２０２において示されるように、方法は、セルラマネジャにおいて、セルラマネジャに対応するセルラセキュリティキーに基づいて、ＵＥセキュリティキーを決定する段階を含んでよい。例えば、コントローラ１４４（図１）は、例えば上述されたように、セルラノード１０４（図１）に対応するセルラセキュリティキーに基づいて、ＵＥセキュリティキーを決定してよい。
【０２５４】
ブロック２０４において示されるように、方法は、ＵＥに対応するセキュリティ情報をＷＬＡＮアクセスデバイスに送信する段階を含んでよく、セキュリティ情報は、ＵＥのＷＬＡＮ識別子及びＵＥセキュリティキーを含む。例えば、コントローラ１４４（図１）は、例えば上述されたように、インタフェース１７１に、ＵＥ１０２（図１）のＷＬＡＮ識別子及びＵＥセキュリティキーをＷＬＡＮアクセスデバイス１０６（図１）に送信させてよい。
【０２５５】
ブロック２０６において示されるように、方法は、ＵＥにおいて、セルラマネジャに対応するセルラセキュリティキーに基づいて、ＵＥセキュリティキーを決定する段階を含んでよい。例えば、コントローラ１４５（図１）は、例えば上述されたように、セルラノード１０４（図１）に対応するセルラセキュリティキーに基づいて、ＵＥセキュリティキーを決定してよい。
【０２５６】
ブロック２０８において示されるように、方法は、ＵＥセキュリティキーに基づいて、ＵＥとＷＬＡＮアクセスデバイスとの間の接続を確立する段階を含んでよい。例えば、ＵＥ１０２及びＷＬＡＮアクセスデバイス１０６は、ＵＥセキュリティキーに基づいて、ＵＥ１０２とＷＬＡＮアクセスデバイス１０６との間でＷＬＡＮ接続を確立してよい。例えば、コントローラ１４５（図１）及び／又はコントローラ１９４（図１）は、例えば上述されたように、ＵＥセキュリティキーを用いて、ＵＥ１０２を認証し、及び／又はＵＥ１０２とＷＬＡＮアクセスデバイス１０６との間の通信を暗号化してよい。
【０２５７】
参照される図３は、いくつかの例示的な実施形態に係るＷＬＡＮにおいてＵＥの通信をセキュアにする方法を模式的に示す。いくつかの実施形態において、図３の方法の複数の動作の１つ又は複数は、システム１００（図１）、ＵＥ１０２（図１）、ノード１０４（図１）、ＷＬＡＮアクセスデバイス１０６（図１）、コントローラ１４５（図１）、コントローラ１４４（図１）、及び／又はコントローラ１９４（図１）によって実行されてよい。
【０２５８】
ブロック３０２において示されるように、方法は、ＵＥのＷＬＡＮ識別子と、ＵＥとの通信が関連付けも認証もされていない状態で実行されるというインジケーションとを、セルラマネジャからＷＬＡＮアクセスデバイスに送信する段階を含んでよい。例えば、コントローラ１４４（図１）は、例えば上述されたように、インタフェース１７１に、ＵＥ１０２（図１）のＷＬＡＮ識別子と、ＵＥ１０２（図１）との通信が関連付けも認証もされていない状態で実行されるというインジケーションとを、ＷＬＡＮアクセスデバイス１０６（図１）に送信させてよい。
【０２５９】
ブロック３０４において示されるように、方法は、ＵＥのＷＬＡＮ識別子と、ＵＥとの通信が関連付けも認証もされていない状態で実行されるというインジケーションとを受信する段階を含んでよい。例えば、インタフェース１９２（図１）は、例えば上述されたように、ＵＥ１０２（図１）のＷＬＡＮ識別子と、ＵＥ１０２（図１）との通信が関連付けも認証もされていない状態で実行されるというインジケーションとをセルラノード１０４（図１）から受信してよい。
【０２６０】
ブロック３０６において示されるように、方法は、ＷＬＡＮアクセスデバイスとＵＥとの間で関連付けも認証もされていないリンクを介して複数のパケットの通信を実行してよく、複数のパケットは、セルラマネジャとＵＥとの間の通信をカプセル化する。例えば、コントローラ１９４（図１）は、例えば上述されたように、ＷＬＡＮ送受信機１９６（図１）に、ＷＬＡＮ送受信機１９６（図１）とＵＥ１０２（図１）との間で関連付けも認証もされていないリンクを介して複数のパケットの通信を実行させてよく、複数のパケットは、セルラノード１０４（図１）とＵＥ１０２（図１）との間の通信をカプセル化する。
【０２６１】
ブロック３０８において示されるように、方法は、セルラマネジャから受信される複数のＷＬＡＮ識別子のリストを管理する段階を含んでよい。例えば、コントローラ１９４（図１）は、例えば上述されたように、セルラノード１０４（図１）から受信される複数のＷＬＡＮ識別子のリスト（「ホワイトリスト」）を管理してよい。
【０２６２】
ブロック３１０において示されるように、方法は、リストに含まれるＷＬＡＮ識別子を有するＵＥからのパケットのみを受け付ける段階を含んでよい。例えば、コントローラ１９４（図１）は、例えば上述されたように、ＷＬＡＮ送受信機１９６（図１）に、ホワイトリストに含まれるＷＬＡＮ識別子を有するＵＥからのパケットのみを受け付けさせてよい。
【０２６３】
ブロック３１２において示されるように、方法は、ＵＥのＷＬＡＮ識別子がセルラマネジャから受信されない場合に、当該ＵＥからのパケットを拒否する段階を含んでよい。例えば、コントローラ１９４（図１）は、ＵＥのＷＬＡＮ識別子がセルラノード１０４（図１）から受信されない場合に、ＷＬＡＮ送受信機１９６（図１）に、当該ＵＥからのパケットを拒否させてよい。
【０２６４】
参照される図４は、いくつかの例示的な実施形態に係るＷＬＡＮにおけるＵＥの通信をセキュアにする方法を模式的に示す。いくつかの実施形態において、図４の方法の複数の動作の１つ又は複数は、システム１００（図１）、ＵＥ１０２（図１）、ノード１０４（図１）、ＷＬＡＮアクセスデバイス１０６（図１）、コントローラ１４５（図１）、コントローラ１４４（図１）、及び／又はコントローラ１９４（図１）によって実行されてよい。
【０２６５】
ブロック４０２において示されるように、方法は、ＷＬＡＮアクセスデバイスを介して、セルラマネジャとＵＥとの間でＷＬＡＮベースのリンクを確立する段階を含んでよい。例えば、コントローラ１４４（図１）及び１４５（図１）は、例えば上述されたように、ＷＬＡＮアクセスデバイス１０６（図１）を介して、セルラノード１０４（図１）とＵＥ１０２（図１）との間でＷＬＡＮベースのリンクを確立してよい。
【０２６６】
ブロック４０４において示されるように、方法は、セルラマネジャにおいて、ＵＥ照合キーを決定する段階を含んでよい。例えば、コントローラ１４４（図１）は、例えば上述されたように、ＵＥ照合キーを決定してよい。
【０２６７】
ブロック４０６において示されるように、方法は、セルラマネジャとＵＥとの間のセルラリンクを介して、ＵＥ照合キーをＵＥに送信する段階を含んでよい。例えば、コントローラ１４４（図１）は、例えば上述されたように、セルラＴＲｘ１６７（図１）に、ＵＥ照合キーをＵＥ１０２（図１）に送信させてよい。
【０２６８】
ブロック４０８において示されるように、方法は、セルラリンクを介して、セルラマネジャからのＵＥ照合キーをＵＥにおいて受信する段階を含んでよい。例えば、セルラＴＲｘ１６５（図１）は、例えば上述されたように、セルラノード１０４（図１）からＵＥ照合キーを受信してよい。
【０２６９】
いくつかの例示的な実施形態において、ＵＥ照合キーは、ＷＬＡＮベースのリンクを確立した後で、セルラマネジャとＵＥとの間で通信されてよい。複数の他の実施形態において、ＵＥ照合キーは、ＷＬＡＮベースのリンクを確立する前に、セルラマネジャとＵＥとの間で通信されてよい。
【０２７０】
ブロック４１０において示されるように、方法は、ＷＬＡＮベースのリンクを介して、ＵＥからセルラノードにＵＥ照合キーを送信する段階を含んでよい。例えば、コントローラ１４５（図１）は、例えば上述されたように、ＷＬＡＮ  ＴＲｘ１６３に、ＷＬＡＮベースのリンクを介して、セルラノード１０４（図１）にＵＥ照合キーを送信させてよい。
【０２７１】
ブロック４１２において示されるように、方法は、例えば、ＵＥ照合キーが予め定められた時間内にＷＬＡＮベースのリンクを介してＵＥから受信されなされない場合に、ＷＬＡＮアクセスデバイスに、ＵＥから切り離すように要求する段階を含んでよい。例えば、コントローラ１４４（図１）は、例えば上述されたように、例えばＵＥ照合キーが、例えば予め定められた時間内に、ＷＬＡＮベースのリンクを介してＵＥ１０２（図１）からセルラノード１０４（図１）において受信されない場合に、ＷＬＡＮアクセスデバイス１０６（図１）に、ＵＥ１０２（図１）から切り離すことを要求してよい。
【０２７２】
図５は、いくつかの例示的な実施形態に係る製造製品の模式図である。製品５００は、ロジック５０４を格納する非一時的機械可読記憶媒体５０２を含んでよく、これは、例えば、ＵＥ１０２（図１）、ノード１０４（図１）、ＷＬＡＮアクセスデバイス１０６（図１）、コントローラ１４４（図１）、コントローラ１４５、及び／又はコントローラ１９４（図１）の機能の少なくとも一部を実行するために、及び／又は図２、３及び／又は４の方法の１つ又は複数の動作を実行するために用いられてよい。 「非一時的機械可読媒体」という語句は、一時的な伝播信号を唯一の例外として、全てのコンピュータ可読媒体を含むことが意図される。
【０２７３】
いくつかの例示的な実施形態において、製品５００及び／又は機械可読記憶媒体５０２は、揮発性メモリ、不揮発性メモリ、リムーバブルもしくは非リムーバブルメモリ、消去可能もしくは消去不可能メモリ、書き込み可能もしくは再書き込み可能メモリ等を含むデータを格納可能な１つ又は複数のタイプのコンピュータ可読記憶媒体を含んでよい。例えば、機械可読記憶媒体５０２は、ＲＡＭ、ＤＲＡＭ、ダブルデータレートＤＲＡＭ（ＤＤＲ−ＤＲＡＭ）、ＳＤＲＡＭ、スタティックＲＡＭ（ＳＲＡＭ）、ＲＯＭ、プログラマブルＲＯＭ（ＰＲＯＭ）、消去可能プログラマブルＲＯＭ（ＥＰＲＯＭ）、電気的消去可能プログラマブルＲＯＭ（ＥＥＰＲＯＭ）、コンパクトディスクＲＯＭ（ＣＤ−ＲＯＭ）、コンパクトディスクレコーダブル（ＣＤ−Ｒ）、コンパクトディスクリライタブル（ＣＤ−ＲＷ）、フラッシュメモリ（例えばＮＯＲもしくはＮＡＮＤフラッシュメモリ）、コンテンツアドレス指定可能メモリ（ＣＡＭ）、ポリマメモリ、相変化メモリ、強誘電体メモリ、シリコン酸化膜窒化膜酸化膜シリコン（ＳＯＮＯＳ）メモリ、ディスク、フロッピ（登録商標）ディスク、ハードドライブ、光ディスク、磁気ディスク、カード、磁気カード、光カード、テープ、カセット等を含んでよい。コンピュータ可読記憶媒体は、通信リンク、例えばモデム、無線又はネットワーク接続を介して、リモートコンピュータから要求側のコンピュータに、搬送波もしくは他の伝搬媒体で具現化される複数のデータ信号によって搬送されるコンピュータプログラムをダウンロード又は転送することに関与する任意の適した媒体を含んでよい。
【０２７４】
いくつかの例示的な実施形態において、ロジック５０４は、複数の命令、データ、及び／又はコードを含んでよく、これらは、機械によって実行された場合に、本明細書で説明される方法、処理及び／又は複数の動作を、機械に実行させてよい。機械は、例えば、任意の適した処理プラットフォーム、コンピューティングプラットフォーム、コンピューティングデバイス、処理デバイス、コンピューティングシステム、処理システム、コンピュータ、プロセッサ等を含んでよく、ハードウェア、ソフトウェア、ファームウェア等の任意の適した組み合わせを用いて実装されてよい。
【０２７５】
いくつかの例示的な実施形態において、ロジック５０４は、ソフトウェア、ソフトウェアモジュール、アプリケーション、プログラム、サブルーチン、複数の命令、命令セット、コンピューティングコード、複数のワード、複数の値、複数の記号等を含んでよく、又はこれらとして実装されてよい。複数の命令は、ソースコード、コンパイルコード、インタープリタコード、実行可能コード、スタティックコード、ダイナミックコード等のような任意の適したタイプのコードを含んでよい。複数の命令は、特定の機能を実行するようプロセッサに命令するために、予め定義されたコンピュータ言語、方式又は構文に従って実装されてよい。複数の命令は、Ｃ、Ｃ＋＋、Ｊａｖａ（登録商標）、ＢＡＳＩＣ、ＭＡＴＬＡＢ、パスカル、ビジュアルＢＡＳＩＣ、アセンブリ言語、機械コード等のような任意の適した高水準、低水準、オブジェクト指向、ビジュアル、コンパイル及び／又はインタープリタプログラミング言語を用いて実装されてよい。
【実施例】
【０２７６】
以下の複数の例は、複数のさらなる実施形態に関する。
【０２７７】
例１は、ユーザ機器（ＵＥ）を含み、ユーザ機器（ＵＥ）は、無線ローカルエリアネットワーク（ＷＬＡＮ）送受信機と、セルラネットワークの発展型ノードＢ（ｅＮＢ）と通信を行うセルラ送受信機と、ｅＮＢに対応するセルラセキュリティキーに基づいて、ＵＥセキュリティキーを決定し、ＵＥセキュリティキーに基づいて、ＷＬＡＮアクセスデバイスとの接続を確立するコントローラと、を備える。
【０２７８】
例２は、例１の主題を含み、任意的に、セルラセキュリティキーは、ｅＮＢに対応するｅＮＢセキュリティキー（ＫｅＮＢ）を含む。
【０２７９】
例３は、例１又は２の主題を含み、任意的に、コントローラは、ＷＬＡＮアクセスデバイスの識別子に基づいて、ＵＥセキュリティキーを決定する。
【０２８０】
例４は、例３の主題を含み、任意的に、ＷＬＡＮアクセスデバイスの識別子は、ＷＬＡＮアクセスデバイスの媒体アクセス制御（ＭＡＣ）アドレス、又はＷＬＡＮアクセスデバイスのサービスセット識別子（ＳＳＩＤ）を含む。
【０２８１】
例５は、例３又は４の主題を含み、任意的に、セルラ送受信機は、ＷＬＡＮアクセスデバイスの識別子を含む無線リソース制御（ＲＲＣ）メッセージを、ｅＮＢから受信する。
【０２８２】
例６は、例１−５のいずれか１つの主題を含み、任意的に、コントローラは、ＵＥの識別子に基づいて、ＵＥセキュリティキーを決定する。
【０２８３】
例７は、例６の主題を含み、任意的に、ＵＥの識別子は、ＵＥの媒体アクセス制御（ＭＡＣ）アドレスを含む。
【０２８４】
例８は、例６又は７の主題を含み、任意的に、セルラ送受信機は、ＵＥの識別子を含む無線リソース制御（ＲＲＣ）メッセージを、ｅＮＢに送信する。
【０２８５】
例９は、例１−８のいずれか１つの主題を含み、任意的に、ＵＥセキュリティキーは、事前共有キー（ＰＳＫ）を含む。
【０２８６】
例１０は、例９の主題を含み、任意的に、ＰＳＫは、ワイヤレスフィデリティ保護アクセス（ＷＰＡ）ＰＳＫを含む。
【０２８７】
例１１は、例１−１０のいずれか１つの主題を含み、任意的に、コントローラは、ＵＥセキュリティキーに基づいて、ＷＬＡＮアクセスデバイスによりＵＥを認証する。
【０２８８】
例１２は、例１−１１のいずれか１つの主題を含み、任意的に、コントローラは、ＵＥセキュリティキーに基づいて、ＷＬＡＮアクセスデバイスとの通信を暗号化する。
【０２８９】
例１３は、例１−１２のいずれか１つの主題を含み、任意的に、１つ又は複数のアンテナ、メモリ及びプロセッサを備える。
【０２９０】
例１４は、発展型ノードＢ（ｅＮＢ）を含み、ｅＮＢは、セルラリンクを介してユーザ機器（ＵＥ）と通信を行うセルラ送受信機と、ｅＮＢに対応するセルラセキュリティキーに基づいて、ＵＥセキュリティキーを決定するコントローラと、ＵＥに対応するセキュリティ情報を無線ローカルエリアネットワーク（ＷＬＡＮ）アクセスデバイスに送信するアクセスデバイスインタフェースと、を備え、セキュリティ情報は、ＵＥのＷＬＡＮ識別子及びＵＥセキュリティキーを含む。
【０２９１】
例１５は、例１４の主題を含み、任意的に、セルラセキュリティキーは、ｅＮＢに対応するｅＮＢセキュリティキー（ＫｅＮＢ）を含む。
【０２９２】
例１６は、例１４又は１５の主題を含み、任意的に、コントローラは、ＷＬＡＮアクセスデバイスの識別子に基づいて、ＵＥセキュリティキーを決定する。
【０２９３】
例１７は、例１６の主題を含み、任意的に、ＷＬＡＮアクセスデバイスの識別子は、ＷＬＡＮアクセスデバイスの媒体アクセス制御（ＭＡＣ）アドレス、又はＷＬＡＮアクセスデバイスのサービスセット識別子（ＳＳＩＤ）を含む。
【０２９４】
例１８は、例１６又は１７の主題を含み、任意的に、セルラ送受信機は、ＷＬＡＮアクセスデバイスの識別子を含む無線リソース制御（ＲＲＣ）メッセージをＵＥに送信する。
【０２９５】
例１９は、例１４−１８のいずれか１つの主題を含み、任意的に、コントローラは、ＵＥの識別子に基づいて、ＵＥセキュリティキーを決定する。
【０２９６】
例２０は、例１９の主題を含み、任意的に、ＵＥの識別子は、ＵＥの媒体アクセス制御（ＭＡＣ）アドレスを含む。
【０２９７】
例２１は、例１９又は２０の主題を含み、任意的に、セルラ送受信機は、ＵＥの識別子を含む無線リソース制御（ＲＲＣ）メッセージを、ＵＥから受信する。
【０２９８】
例２２は、例１４−２１のいずれか１つの主題を含み、任意的に、ＵＥセキュリティキーは、事前共有キー（ＰＳＫ）を含む。
【０２９９】
例２３は、例２２の主題を含み、任意的に、ＰＳＫは、ワイヤレスフィデリティ保護アクセス（ＷＰＡ）ＰＳＫを含む。
【０３００】
例２４は、例１４−２３のいずれか１つの主題を含み、統合ｅＮＢアクセスポイント（ＡＰ）（ｅＮＢ／ＡＰ）の一部として、ＷＬＡＮアクセスデバイスに統合される。
【０３０１】
例２５は、例１４−２４のいずれか１つの主題を含み、任意的に、１つ又は複数のアンテナ、メモリ、及びプロセッサを備える。
【０３０２】
例２６は、無線通信システムを含み、システムは、ｅＮＢに対応するセルラセキュリティキーに基づいて、ユーザ機器（ＵＥ）に対応するＵＥセキュリティキーを決定する発展型ノードＢ（ｅＮＢ）回路と、ＵＥセキュリティキーを含むセキュリティ情報をｅＮＢ回路から受信する無線ローカルエリアネットワーク（ＷＬＡＮ）アクセスデバイス回路と、を備え、ＷＬＡＮアクセスデバイス回路は、ＵＥセキュリティキーに基づいて、ＵＥとのＷＬＡＮリンクを確立する。
【０３０３】
例２７は、例２６の主題を含み、任意的に、セルラセキュリティキーは、ｅＮＢに対応するｅＮＢセキュリティキー（ＫｅＮＢ）を含む。
【０３０４】
例２８は、例２６又は２７の主題を含み、任意的に、ｅＮＢ回路は、ＷＬＡＮアクセスデバイス識別子に基づいて、ＵＥセキュリティキーを決定する。
【０３０５】
例２９は、例２８の主題を含み、任意的に、ＷＬＡＮアクセスデバイス識別子は、ＷＬＡＮアクセスデバイス媒体アクセス制御（ＭＡＣ）アドレス、又はＷＬＡＮアクセスデバイスサービスセット識別子（ＳＳＩＤ）を含む。
【０３０６】
例３０は、例２８又は２９の主題を含み、任意的に、ｅＮＢ回路は、ＷＬＡＮアクセスデバイス識別子を含む無線リソース制御（ＲＲＣ）メッセージをＵＥに送信する。
【０３０７】
例３１は、例２６−３０のいずれか１つの主題を含み、任意的に、ｅＮＢ回路は、ＵＥの識別子に基づいて、ＵＥセキュリティキーを決定する。
【０３０８】
例３２は、例３１の主題を含み、任意的に、ＵＥの識別子は、ＵＥの媒体アクセス制御（ＭＡＣ）アドレスを含む。
【０３０９】
例３３は、例３１又は３２の主題を含み、任意的に、ｅＮＢ回路は、ＵＥの識別子を含む無線リソース制御（ＲＲＣ）メッセージを、ＵＥから受信する。
【０３１０】
例３４は、例２６−３３のいずれか１つの主題を含み、任意的に、ＵＥセキュリティキーは、事前共有キー（ＰＳＫ）を含む。
【０３１１】
例３５は、例３４の主題を含み、任意的に、ＰＳＫは、ワイヤレスフィデリティ保護アクセス（ＷＰＡ）ＰＳＫを含む。
【０３１２】
例３６は、例２６−３５のいずれか１つの主題を含み、任意的に、１つ又は複数のアンテナ、メモリ、及びプロセッサを備える。
【０３１３】
例３７は、無線ローカルエリアネットワーク（ＷＬＡＮ）アクセスデバイスを含み、ＷＬＡＮアクセスデバイスは、ＷＬＡＮ送受信機と、ユーザ機器（ＵＥ）のＷＬＡＮ識別子、及びＵＥとの通信が関連付けも認証もされていない状態で実行されるというインジケーションをセルラマネジャから受信するセルラマネジャインタフェースと、ＷＬＡＮ送受信機に、ＷＬＡＮ送受信機とＵＥとの間で関連付けも認証もされていないリンクを介して複数のパケットの通信を実行させるコントローラと、を備え、複数のパケットは、セルラマネジャとＵＥとの間の通信をカプセル化する。
【０３１４】
例３８は、例３７の主題を含み、任意的に、コントローラは、セルラマネジャから受信される複数のＷＬＡＮ識別子のリストを管理し、コントローラは、ＷＬＡＮ送受信機に、複数のＷＬＡＮ識別子を有するＵＥからのパケットのみを受け付けさせる。
【０３１５】
例３９は、例３７又は３８の主題を含み、任意的に、コントローラは、ＷＬＡＮ送受信機に、他のＵＥのＷＬＡＮ識別子がセルラマネジャから受信されない場合に、他のＵＥからのパケットを拒否させる。
【０３１６】
例４０は、例３７−３９のいずれか１つの主題を含み、任意的に、ＵＥのＷＬＡＮ識別子は、ＵＥの媒体アクセス制御（ＭＡＣ）アドレス、又はＵＥの認証識別子を含む。
【０３１７】
例４１は、例３７−４０のいずれか１つの主題を含み、統合ｅＮＢアクセスポイント（ＡＰ）（ｅＮＢ／ＡＰ）の一部として、ｅＮＢアクセスデバイスと統合される。
【０３１８】
例４２は、例３７−４１のいずれか１つの主題を含み、任意的に、１つ又は複数のアンテナ、メモリ及びプロセッサを備える。
【０３１９】
例４３は、ユーザ機器（ＵＥ）を含み、ＵＥは、無線ローカルエリアネットワーク（ＷＬＡＮ）送受信機と、セルラネットワークの発展型ノードＢ（ｅＮＢ）からＵＥ照合キーを受信するセルラ送受信機と、ＵＥとＷＬＡＮアクセスデバイスとの間における関連付けされているが認証されていないＷＬＡＮリンクを介して、ＵＥとｅＮＢとの間のＷＬＡＮベースのリンクを確立し、ＷＬＡＮベースのリンクを介してＵＥ照合キーをｅＮＢに送信するコントローラと、を備える。
【０３２０】
例４４は、例４３の主題を含み、任意的に、セルラ送受信機は、ＵＥ照合キーを含む無線リソース制御（ＲＲＣ）メッセージを受信する。
【０３２１】
例４５は、例４３又は４４の主題を含み、任意的に、コントローラは、ＷＬＡＮベースのリンクを確立してから予め定められた時間内に、ＷＬＡＮベースのリンクを介してＵＥ照合キーを送信する。
【０３２２】
例４６は、例４３−４５のいずれか１つの主題を含み、任意的に、１つ又は複数のアンテナ、メモリ及びプロセッサを備える。
【０３２３】
例４７は、発展型ノードＢ（ｅＮＢ）を含み、ｅＮＢは、セルラリンクを介してユーザ機器（ＵＥ）と通信を行うセルラ送受信機と、無線ローカルエリアネットワーク（ＷＬＡＮ）アクセスデバイスと通信を行うアクセスデバイスインタフェースと、ＷＬＡＮアクセスデバイスを介してｅＮＢとＵＥとの間でＷＬＡＮベースのリンクを確立するコントローラと、を備え、コントローラは、ＵＥ照合キーを決定し、セルラリンクを介してＵＥ照合キーをＵＥに送信し、ＵＥ照合キーが予め定められた時間内にＷＬＡＮベースのリンクを介してＵＥから受信されない場合に、ＷＬＡＮアクセスデバイスに、ＵＥから切り離すよう要求する。
【０３２４】
例４８は、例４７の主題を含み、任意的に、セルラ送受信機は、ＵＥ照合キーを含む無線リソース制御（ＲＲＣ）メッセージをＵＥに送信する。
【０３２５】
例４９は、例４７又は４８の主題を含み、統合ｅＮＢアクセスポイント（ＡＰ）（ｅＮＢ／ＡＰ）の一部として、ＷＬＡＮアクセスデバイスに統合される。
【０３２６】
例５０は、例４７−４９のいずれか１つの主題を含み、任意的に、１つ又は複数のアンテナ、メモリ及びプロセッサを備える。
【０３２７】
例５１は、ユーザ機器（ＵＥ）によって実行されるための方法を含み、方法は、セルラネットワークの発展型ノードＢ（ｅＮＢ）と通信を行う段階と、ｅＮＢに対応するセルラセキュリティキーに基づいて、ＵＥセキュリティキーを決定する段階と、ＵＥセキュリティキーに基づいて、無線ローカルエリアネットワーク（ＷＬＡＮ）アクセスデバイスとの接続を確立する段階と、を備える。
【０３２８】
例５２は、例５１の主題を含み、任意的に、セルラセキュリティキーは、ｅＮＢに対応するｅＮＢセキュリティキー（ＫｅＮＢ）を含む。
【０３２９】
例５３は、例５１又は５２の主題を含み、任意的に、ＷＬＡＮアクセスデバイスの識別子に基づいて、ＵＥセキュリティキーを決定する段階を備える。
【０３３０】
例５４は、例５３の主題を含み、任意的に、ＷＬＡＮアクセスデバイスの識別子は、ＷＬＡＮアクセスデバイスの媒体アクセス制御（ＭＡＣ）アドレス、又はＷＬＡＮアクセスデバイスのサービスセット識別子（ＳＳＩＤ）を含む。
【０３３１】
例５５は、例５３又は５４の主題を含み、任意的に、ＷＬＡＮアクセスデバイスの識別子を含む無線リソース制御（ＲＲＣ）メッセージを、ｅＮＢから受信する段階を備える。
【０３３２】
例５６は、例５１−５５のいずれか１つの主題を含み、任意的に、ＵＥの識別子に基づいて、ＵＥセキュリティキーを決定する段階を備える。
【０３３３】
例５７は、例５６の主題を含み、任意的に、ＵＥの識別子は、ＵＥの媒体アクセス制御（ＭＡＣ）アドレスを含む。
【０３３４】
例５８は、例５６又は５７の主題を含み、任意的に、ＵＥの識別子を含む無線リソース制御（ＲＲＣ）メッセージを、ｅＮＢに送信する段階を備える。
【０３３５】
例５９は、例５１−５８のいずれか１つの主題を含み、任意的に、ＵＥセキュリティキーは、事前共有キー（ＰＳＫ）を含む。
【０３３６】
例６０は、例５９の主題を含み、任意的に、ＰＳＫは、ワイヤレスフィデリティ保護アクセス（ＷＰＡ）ＰＳＫを含む。
【０３３７】
例６１は、例５１−６０のいずれか１つの主題を含み、任意的に、ＵＥセキュリティキーに基づいて、ＷＬＡＮアクセスデバイスによりＵＥを認証する段階を備える。
【０３３８】
例６２は、例５１−６１のいずれか１つの主題を含み、任意的に、ＵＥセキュリティキーに基づいて、ＷＬＡＮアクセスデバイスとの通信を暗号化する段階を備える。
【０３３９】
例６３は、発展型ノードＢ（ｅＮＢ）において実行されるための方法を含み、方法は、セルラリンクを介してユーザ機器（ＵＥ）と通信を行う段階と、ｅＮＢに対応するセルラセキュリティキーに基づいて、ＵＥセキュリティキーを決定する段階と、ＵＥに対応するセキュリティ情報を無線ローカルエリアネットワーク（ＷＬＡＮ）アクセスデバイスに送信する段階と、を備え、セキュリティ情報は、ＵＥのＷＬＡＮ識別子及びＵＥセキュリティキー含む。
【０３４０】
例６４は、例６３の主題を含み、任意的に、セルラセキュリティキーは、ｅＮＢに対応するｅＮＢセキュリティキー（ＫｅＮＢ）を含む。
【０３４１】
例６５は、例６３又は６４の主題を含み、任意的に、ＷＬＡＮアクセスデバイスの識別子に基づいて、ＵＥセキュリティキーを決定する段階を備える。
【０３４２】
例６６は、例６５の主題を含み、任意的に、ＷＬＡＮアクセスデバイスの識別子は、ＷＬＡＮアクセスデバイスの媒体アクセス制御（ＭＡＣ）アドレス、又はＷＬＡＮアクセスデバイスのサービスセット識別子（ＳＳＩＤ）を含む。
【０３４３】
例６７は、例６５又は６６の主題を含み、任意的に、ＷＬＡＮアクセスデバイスの識別子を含む無線リソース制御（ＲＲＣ）メッセージをＵＥに送信する段階を備える。
【０３４４】
例６８は、例６３−６７のいずれか１つの主題を含み、任意的に、コントローラは、ＵＥの識別子に基づいて、ＵＥセキュリティキーを決定する段階を備える。
【０３４５】
例６９は、例６８の主題を含み、任意的に、ＵＥの識別子は、ＵＥの媒体アクセス制御（ＭＡＣ）アドレスを含む。
【０３４６】
例７０は、例６８又は６９の主題を含み、任意的に、ＵＥの識別子を含む無線リソース制御（ＲＲＣ）メッセージを、ＵＥから受信する段階を備える。
【０３４７】
例７１は、例６３−７０のいずれか１つの主題を含み、任意的に、ＵＥセキュリティキーは、事前共有キー（ＰＳＫ）を含む。
【０３４８】
例７２は、例７１の主題を含み、任意的に、ＰＳＫは、ワイヤレスフィデリティ保護アクセス（ＷＰＡ）ＰＳＫを含む。
【０３４９】
例７３は、無線通信システムにおいて実行されるための方法を含み、方法は、発展型ノードＢ（ｅＮＢ）において、ｅＮＢに対応するセルラセキュリティキーに基づいて、ユーザ機器（ＵＥ）に対応するＵＥセキュリティキーを決定する段階と、ＵＥセキュリティキーを含むセキュリティ情報を無線ローカルエリアネットワーク（ＷＬＡＮ）アクセスデバイスに提供する段階と、ＷＬＡＮアクセスデバイスにおいて、ＵＥセキュリティキーに基づいて、ＵＥとのＷＬＡＮリンクを確立する段階と、を備える。
【０３５０】
例７４は、例７３の主題を含み、任意的に、セルラセキュリティキーは、ｅＮＢに対応するｅＮＢセキュリティキー（ＫｅＮＢ）を含む。
【０３５１】
例７５は、例７３又は７４の主題を含み、任意的に、ＷＬＡＮアクセスデバイス識別子に基づいて、ＵＥセキュリティキーを決定する段階を備える。
【０３５２】
例７６は、例７５の主題を含み、任意的に、ＷＬＡＮアクセスデバイス識別子は、ＷＬＡＮアクセスデバイス媒体アクセス制御（ＭＡＣ）アドレス、又はＷＬＡＮアクセスデバイスサービスセット識別子（ＳＳＩＤ）を含む。
【０３５３】
例７７は、例７５又は７６の主題を含み、任意的に、ＷＬＡＮアクセスデバイス識別子を含む無線リソース制御（ＲＲＣ）メッセージをＵＥに送信する段階を備える。
【０３５４】
例７８は、例７３−７７のいずれか１つの主題を含み、任意的に、ＵＥの識別子に基づいて、ＵＥセキュリティキーを決定する段階を備える。
【０３５５】
例７９は、例７８の主題を含み、任意的に、ＵＥの識別子は、ＵＥの媒体アクセス制御（ＭＡＣ）アドレスを含む。
【０３５６】
例８０は、例７８又は７９の主題を含み、任意的に、ＵＥの識別子を含む無線リソース制御（ＲＲＣ）メッセージを、ＵＥから受信する段階を備える。
【０３５７】
例８１は、例７３−８０のいずれか１つの主題を含み、任意的に、ＵＥセキュリティキーは、事前共有キー（ＰＳＫ）を含む。
【０３５８】
例８２は、例８１の主題を含み、任意的に、ＰＳＫは、ワイヤレスフィデリティ保護アクセス（ＷＰＡ）ＰＳＫを含む。
【０３５９】
例８３は、無線ローカルエリアネットワーク（ＷＬＡＮ）アクセスデバイスにおいて実行されるための方法を含み、方法は、ユーザ機器（ＵＥ）のＷＬＡＮ識別子、及びＵＥとの通信が関連付けも認証もされていない状態で実行されるというインジケーションを、セルラマネジャから受信する段階と、ＷＬＡＮ送受信機とＵＥとの間で関連付けも認証もされていないリンクを介して複数のパケットの通信を行う段階と、を備え、複数のパケットは、セルラマネジャとＵＥとの間の通信をカプセル化する。
【０３６０】
例８４は、例８３の主題を含み、任意的に、セルラマネジャから受信される複数のＷＬＡＮ識別子のリストを管理し、複数のＷＬＡＮ識別子を有する複数のＵＥからのみ複数のパケットを受け付ける段階を備える。
【０３６１】
例８５は、例８３又は８４の主題を含み、任意的に、他のＵＥのＷＬＡＮ識別子がセルラマネジャから受信されない場合に、他のＵＥからの複数のパケットを拒否する段階を備える。
【０３６２】
例８６は、例８３−８５のいずれか１つの主題を含み、任意的に、ＵＥのＷＬＡＮ識別子は、ＵＥの媒体アクセス制御（ＭＡＣ）アドレス、又はＵＥの認証識別子を含む。
【０３６３】
例８７は、ユーザ機器（ＵＥ）において実行されるための方法を含み、方法は、セルラネットワークの発展型ノードＢ（ｅＮＢ）からＵＥ照合キーを受信する段階と、ＵＥとＷＬＡＮアクセスデバイスとの間における関連付けされているが認証されていないＷＬＡＮリンクを介して、ＵＥとｅＮＢとの間で無線ローカルエリアネットワーク（ＷＬＡＮ）ベースのリンクを確立する段階と、ＷＬＡＮベースのリンクを介して、ＵＥ照合キーをｅＮＢに送信する段階と、を備える。
【０３６４】
例８８は、例８７の主題を含み、任意的に、ＵＥ照合キーを含む無線リソース制御（ＲＲＣ）メッセージを受信する段階を備える。
【０３６５】
例８９は、例８７又は８８の主題を含み、任意的に、ＷＬＡＮベースのリンクを確立してから予め定められた時間内に、ＷＬＡＮベースのリンクを介してＵＥ照合キーを送信する段階を備える。
【０３６６】
例９０は、発展型ノードＢ（ｅＮＢ）において実行されるための方法を含み、方法は、セルラリンクを介してユーザ機器（ＵＥ）と通信を行う段階と、無線ローカルエリアネットワーク（ＷＬＡＮ）アクセスデバイスと通信を行う段階と、ＷＬＡＮアクセスデバイスを介してｅＮＢとＵＥとの間でＷＬＡＮベースのリンクを確立する段階と、ＵＥ照合キーを決定する段階と、セルラリンクを介してＵＥ照合キーをＵＥに送信する段階と、ＵＥ照合キーが、予め定められた時間内にＷＬＡＮベースのリンクを介してＵＥから受信されない場合に、ＷＬＡＮアクセスデバイスに、ＵＥから切り離すよう要求する段階と、を備える。
【０３６７】
例９１は、例９０の主題を含み、任意的に、ＵＥ照合キーを含む無線リソース制御（ＲＲＣ）メッセージをＵＥに送信する段階を備える。
【０３６８】
例９２は、複数のコンピュータ実行可能命令を含む１つ又は複数の有形の非一時的コンピュータ可読記憶媒体を備える製品を含み、複数のコンピュータ実行可能命令は、少なくとも１つのコンピュータプロセッサによって実行される場合に、少なくとも１つのコンピュータプロセッサがユーザ機器（ＵＥ）における方法を実装することを可能とするように動作可能であり、方法は、セルラネットワークの発展型ノードＢ（ｅＮＢ）と通信を行う段階と、ｅＮＢに対応するセルラセキュリティキーに基づいて、ＵＥセキュリティキーを決定する段階と、ＵＥセキュリティキーに基づいて、無線ローカルエリアネットワーク（ＷＬＡＮ）アクセスデバイスとの接続を確立する段階と、を含む。
【０３６９】
例９３は、例９２の主題を含み、任意的に、セルラセキュリティキーは、ｅＮＢに対応するｅＮＢセキュリティキー（ＫｅＮＢ）を含む。
【０３７０】
例９４は、例９２又は９３の主題を含み、任意的に、方法は、ＷＬＡＮアクセスデバイスの識別子に基づいて、ＵＥセキュリティキーを決定する段階を含む。
【０３７１】
例９５は、例９４の主題を含み、任意的に、ＷＬＡＮアクセスデバイスの識別子は、ＷＬＡＮアクセスデバイスの媒体アクセス制御（ＭＡＣ）アドレス、又はＷＬＡＮアクセスデバイスのサービスセット識別子（ＳＳＩＤ）を含む。
【０３７２】
例９６は、例９４又は９５の主題を含み、任意的に、方法は、ＷＬＡＮアクセスデバイスの識別子を含む無線リソース制御（ＲＲＣ）メッセージを、ｅＮＢから受信する段階を含む。
【０３７３】
例９７は、例９２−９６のいずれか１つの主題を含み、任意的に、方法は、ＵＥの識別子に基づいて、ＵＥセキュリティキーを決定する段階を含む。
【０３７４】
例９８は、例９７の主題を含み、任意的に、ＵＥの識別子は、ＵＥの媒体アクセス制御（ＭＡＣ）アドレスを含む。
【０３７５】
例９９は、例９７又は９８の主題を含み、任意的に、方法は、ＵＥの識別子を含む無線リソース制御（ＲＲＣ）メッセージを、ｅＮＢに送信する段階を含む。
【０３７６】
例１００は、例９２−９９のいずれか１つの主題を含み、任意的に、ＵＥセキュリティキーは、事前共有キー（ＰＳＫ）を含む。
【０３７７】
例１０１は、例１００の主題を含み、任意的に、ＰＳＫは、ワイヤレスフィデリティ保護アクセス（ＷＰＡ）ＰＳＫを含む。
【０３７８】
例１０２は、例９２−１０１のいずれか１つの主題を含み、任意的に、方法は、ＵＥセキュリティキーに基づいて、ＷＬＡＮアクセスデバイスによりＵＥを認証する段階を含む。
【０３７９】
例１０３は、例９２−１０２のいずれか１つの主題を含み、任意的に、方法は、ＵＥセキュリティキーに基づいて、ＷＬＡＮアクセスデバイスとの通信を暗号化する段階を含む。
【０３８０】
例１０４は、複数のコンピュータ実行可能命令を含む１つ又は複数の有形の非一時的コンピュータ可読記憶媒体を備える製品を含み、複数のコンピュータ実行可能命令は、少なくとも１つのコンピュータプロセッサによって実行される場合に、少なくとも１つのコンピュータプロセッサが発展型ノードＢ（ｅＮＢ）における方法を実装することを可能とするように動作可能であり、方法は、セルラリンクを介してユーザ機器（ＵＥ）と通信を行う段階と、ｅＮＢに対応するセルラセキュリティキーに基づいて、ＵＥセキュリティキーを決定する段階と、ＵＥに対応するセキュリティ情報を無線ローカルエリアネットワーク（ＷＬＡＮ）アクセスデバイスに送信する段階と、を含み、セキュリティ情報は、ＵＥのＷＬＡＮ識別子及びＵＥセキュリティキーを含む。
【０３８１】
例１０５は、例１０４の主題を含み、任意的に、セルラセキュリティキーは、ｅＮＢに対応するｅＮＢセキュリティキー（ＫｅＮＢ）を含む。
【０３８２】
例１０６は、例１０４又は１０５の主題を含み、任意的に、方法は、ＷＬＡＮアクセスデバイスの識別子に基づいて、ＵＥセキュリティキーを決定する段階を含む。
【０３８３】
例１０７は、例１０６の主題を含み、任意的に、ＷＬＡＮアクセスデバイスの識別子は、ＷＬＡＮアクセスデバイスの媒体アクセス制御（ＭＡＣ）アドレス、又はＷＬＡＮアクセスデバイスのサービスセット識別子（ＳＳＩＤ）を含む。
【０３８４】
例１０８は、例１０６又は１０７の主題を含み、任意的に、方法は、ＷＬＡＮアクセスデバイスの識別子を含む無線リソース制御（ＲＲＣ）メッセージを、ＵＥに送信する段階を含む。
【０３８５】
例１０９は、例１０４−１０８のいずれか１つの主題を含み、任意的に、方法は、ＵＥの識別子に基づいて、ＵＥセキュリティキーを決定する段階を含む。
【０３８６】
例１１０は、例１０９の主題を含み、任意的に、ＵＥの識別子は、ＵＥの媒体アクセス制御（ＭＡＣ）アドレスを含む。
【０３８７】
例１１１は、例１０９又は１１０の主題を含み、任意的に、方法は、ＵＥの識別子を含む無線リソース制御（ＲＲＣ）メッセージを、ＵＥから受信する段階を含む。
【０３８８】
例１１２は、例１０４−１１１のいずれか１つの主題を含み、任意的に、ＵＥセキュリティキーは、事前共有キー（ＰＳＫ）を含む。
【０３８９】
例１１３は、例１１２の主題を含み、任意的に、ＰＳＫは、ワイヤレスフィデリティ保護アクセス（ＷＰＡ）ＰＳＫを含む。
【０３９０】
例１１４は、複数のコンピュータ実行可能命令を含む１つ又は複数の有形の非一時的コンピュータ可読記憶媒体を備える製品を含み、複数のコンピュータ実行可能命令は、少なくとも１つのコンピュータプロセッサによって実行される場合に、少なくとも１つのコンピュータプロセッサが無線通信システムにおける方法を実装することを可能とするように動作可能であり、方法は、発展型ノードＢ（ｅＮＢ）において、ｅＮＢに対応するセルラセキュリティキーに基づいて、ＵＥに対応するユーザ機器（ＵＥ）セキュリティキーを決定する段階と、ＵＥセキュリティキーを含むセキュリティ情報を、無線ローカルエリアネットワーク（ＷＬＡＮ）アクセスデバイスに提供する段階と、ＷＬＡＮアクセスデバイスにおいて、ＵＥセキュリティキーに基づいて、ＵＥとのＷＬＡＮリンクを確立する段階と、を含む。
【０３９１】
例１１５は、例１１４の主題を含み、任意的に、セルラセキュリティキーは、ｅＮＢに対応するｅＮＢセキュリティキー（ＫｅＮＢ）を含む。
【０３９２】
例１１６は、例１１４又は１１５の主題を含み、任意的に、方法は、ＷＬＡＮアクセスデバイス識別子に基づいて、ＵＥセキュリティキーを決定する段階を含む。
【０３９３】
例１１７は、例１１６の主題を含み、任意的に、ＷＬＡＮアクセスデバイス識別子は、ＷＬＡＮアクセスデバイス媒体アクセス制御（ＭＡＣ）アドレス、又はＷＬＡＮアクセスデバイスサービスセット識別子（ＳＳＩＤ）を含む。
【０３９４】
例１１８は、例１１６又は１１７の主題を含み、任意的に、方法は、ＷＬＡＮアクセスデバイス識別子を含む無線リソース制御（ＲＲＣ）メッセージをＵＥに送信する段階を含む。
【０３９５】
例１１９は、例１１４−１１８のいずれか１つの主題を含み、任意的に、方法は、ＵＥの識別子に基づいて、ＵＥセキュリティキーを決定する段階を含む。
【０３９６】
例１２０は、例１１９の主題を含み、任意的に、ＵＥの識別子は、ＵＥの媒体アクセス制御（ＭＡＣ）アドレスを含む。
【０３９７】
例１２１は、例１１９又は１２０の主題を含み、任意的に、方法は、ＵＥの識別子を含む無線リソース制御（ＲＲＣ）メッセージをＵＥから受信する段階を含む。
【０３９８】
例１２２は、例１１４−１２１のいずれか１つの主題を含み、任意的に、ＵＥセキュリティキーは、事前共有キー（ＰＳＫ）を含む。
【０３９９】
例１２３は、例１２２の主題を含み、任意的に、ＰＳＫは、ワイヤレスフィデリティ保護アクセス（ＷＰＡ）ＰＳＫを含む。
【０４００】
例１２４は、複数のコンピュータ実行可能命令を含む１つ又は複数の有形の非一時的コンピュータ可読記憶媒体を備える製品を含み、複数のコンピュータ実行可能命令は、少なくとも１つのコンピュータプロセッサによって実行される場合に、少なくとも１つのコンピュータプロセッサが無線ローカルエリアネットワーク（ＷＬＡＮ）アクセスデバイスにおける方法を実装することを可能とするように動作可能であり、方法は、ユーザ機器（ＵＥ）のＷＬＡＮ識別子と、ＵＥとの通信が関連付けも認証もされていない状態で実行されるというインジケーションとをセルラマネジャから受信する段階と、ＷＬＡＮ送受信機とＵＥとの間で関連付けも認証もされていないリンクを介して複数のパケットの通信を行う段階と、を含み、複数のパケットは、セルラマネジャとＵＥとの間の通信をカプセル化する。
【０４０１】
例１２５は、例１２４の主題を含み、任意的に、方法は、セルラマネジャから受信される複数のＷＬＡＮ識別子のリストを管理し、複数のＷＬＡＮ識別子を有する複数のＵＥからのみ複数のパケットを受け付ける段階を備える。
【０４０２】
例１２６は、例１２４又は１２５の主題を含み、任意的に、方法は、他のＵＥのＷＬＡＮ識別子がセルラマネジャから受信されない場合に、他のＵＥからの複数のパケットを拒否する段階を備える。
【０４０３】
例１２７は、例１２４−１２６のいずれか１つの主題を含み、任意的に、ＵＥのＷＬＡＮ識別子は、ＵＥの媒体アクセス制御（ＭＡＣ）アドレス、又はＵＥの認証識別子を含む。
【０４０４】
例１２８は、複数のコンピュータ実行可能命令を含む１つ又は複数の有形の非一時的コンピュータ可読記憶媒体を備える製品を含み、複数のコンピュータ実行可能命令は、少なくとも１つのコンピュータプロセッサによって実行される場合に、少なくとも１つのコンピュータプロセッサがユーザ機器（ＵＥ）における方法を実装することを可能とするように動作可能であり、方法は、セルラネットワークの発展型ノードＢ（ｅＮＢ）からＵＥ照合キーを受信する段階と、ＵＥとＷＬＡＮアクセスデバイスとの間における関連付けされているが認証されていないＷＬＡＮリンクを介して、ＵＥとｅＮＢとの間で無線ローカルエリアネットワーク（ＷＬＡＮ）ベースのリンクを確立する段階と、ＷＬＡＮベースのリンクを介してＵＥ照合キーをｅＮＢに送信する段階と、を含む。
【０４０５】
例１２９は、例１２８の主題を含み、任意的に、方法は、ＵＥ照合キーを含む無線リソース制御（ＲＲＣ）メッセージを受信する段階を含む。
【０４０６】
例１３０は、例１２８又は１２９の主題を含み、任意的に、方法は、ＷＬＡＮベースのリンクを確立してから予め定められた時間内に、ＷＬＡＮベースのリンクを介してＵＥ照合キーを送信する段階を備える。
【０４０７】
例１３１は、複数のコンピュータ実行可能命令を含む１つ又は複数の有形の非一時的コンピュータ可読記憶媒体を備える製品を含み、複数のコンピュータ実行可能命令は、少なくとも１つのコンピュータプロセッサによって実行される場合に、少なくとも１つのコンピュータプロセッサが発展型ノードＢ（ｅＮＢ）における方法を実装することを可能とするように動作可能であり、方法は、セルラリンクを介してユーザ機器（ＵＥ）との通信を行う段階と、無線ローカルエリアネットワーク（ＷＬＡＮ）アクセスデバイスとの通信行う段階と、ＷＬＡＮアクセスデバイスを介して、ｅＮＢとＵＥとの間でＷＬＡＮベースのリンクを確立する段階と、ＵＥ照合キーを決定する段階と、セルラリンクを介してＵＥ照合キーをＵＥに送信する段階と、ＵＥ照合キーが、予め定められた時間内にＷＬＡＮベースのリンクを介してＵＥから受信されない場合に、ＷＬＡＮアクセスデバイスに、ＵＥから切り離すよう要求する段階と、を含む。
【０４０８】
例１３２は、例１３１の主題を含み、任意的に、方法は、ＵＥ照合キーを含む無線リソース制御（ＲＲＣ）メッセージをＵＥに送信する段階を含む。
【０４０９】
例１３３は、ユーザ機器（ＵＥ）の装置を含み、装置は、セルラネットワークの発展型ノードＢ（ｅＮＢ）と通信を行う手段と、ｅＮＢに対応するセルラセキュリティキーに基づいて、ＵＥセキュリティキーを決定する手段と、ＵＥセキュリティキーに基づいて、無線ローカルエリアネットワーク（ＷＬＡＮ）アクセスデバイスとの接続を確立する手段と、を備える。
【０４１０】
例１３４は、例１３３の主題を含み、任意的に、セルラセキュリティキーは、ｅＮＢに対応するｅＮＢセキュリティキー（ＫｅＮＢ）を含む。
【０４１１】
例１３５は、例１３３又は１３４の主題を含み、任意的に、ＷＬＡＮアクセスデバイスの識別子に基づいて、ＵＥセキュリティキーを決定する手段を備える。
【０４１２】
例１３６は、例１３５の主題を含み、任意的に、ＷＬＡＮアクセスデバイスの識別子は、ＷＬＡＮアクセスデバイスの媒体アクセス制御（ＭＡＣ）アドレス、又はＷＬＡＮアクセスデバイスのサービスセット識別子（ＳＳＩＤ）を含む。
【０４１３】
例１３７は、例１３５又は１３６の主題を含み、任意的に、ＷＬＡＮアクセスデバイスの識別子を含む無線リソース制御（ＲＲＣ）メッセージを、ｅＮＢから受信する手段を備える。
【０４１４】
例１３８は、例１３３−１３７のいずれか１つの主題を含み、任意的に、ＵＥの識別子に基づいて、ＵＥセキュリティキーを決定する手段を備える。
【０４１５】
例１３９は、例１３８の主題を含み、任意的に、ＵＥの識別子は、ＵＥの媒体アクセス制御（ＭＡＣ）アドレスを含む。
【０４１６】
例１４０は、例１３９の主題を含み、任意的に、ＵＥの識別子を含む無線リソース制御（ＲＲＣ）メッセージを、ｅＮＢに送信する手段を備える。
【０４１７】
例１４１は、例１３３−１４０のいずれか１つの主題を含み、任意的に、ＵＥセキュリティキーは、事前共有キー（ＰＳＫ）を含む。
【０４１８】
例１４２は、例１４１の主題を含み、任意的に、ＰＳＫは、ワイヤレスフィデリティ保護アクセス（ＷＰＡ）ＰＳＫを含む。
【０４１９】
例１４３は、例１３３−１４２のいずれか１つの主題を含み、任意的に、ＵＥセキュリティキーに基づいて、ＷＬＡＮアクセスデバイスによりＵＥを認証する手段を備える。
【０４２０】
例１４４は、例１３３−１４３のいずれか１つの主題を含み、任意的に、ＵＥセキュリティキーに基づいて、ＷＬＡＮアクセスデバイスとの通信を暗号化する手段を備える。
【０４２１】
例１４５は、発展型ノードＢ（ｅＮＢ）の装置を含み、装置は、セルラリンクを介してユーザ機器（ＵＥ）との通信を行う手段と、ｅＮＢに対応するセルラセキュリティキーに基づいて、ＵＥセキュリティキーを決定する手段と、ＵＥに対応するセキュリティ情報を無線ローカルエリアネットワーク（ＷＬＡＮ）アクセスデバイスに送信する手段と、を備え、セキュリティ情報は、ＵＥのＷＬＡＮ識別子及びＵＥセキュリティキーを含む。
【０４２２】
例１４６は、例１４５の主題を含み、任意的に、セルラセキュリティキーは、ｅＮＢに対応するｅＮＢセキュリティキー（ＫｅＮＢ）を含む。
【０４２３】
例１４７は、例１４５又は１４６の主題を含み、任意的に、ＷＬＡＮアクセスデバイスの識別子に基づいて、ＵＥセキュリティキーを決定する手段を備える。
【０４２４】
例１４８は、例１４７の主題を含み、任意的に、ＷＬＡＮアクセスデバイスの識別子は、ＷＬＡＮアクセスデバイスの媒体アクセス制御（ＭＡＣ）アドレス、又はＷＬＡＮアクセスデバイスのサービスセット識別子（ＳＳＩＤ）を含む。
【０４２５】
例１４９は、例１４７又は１４８の主題を含み、任意的に、ＷＬＡＮアクセスデバイスの識別子を含む無線リソース制御（ＲＲＣ）メッセージをＵＥに送信する手段を備える。
【０４２６】
例１５０は、例１４５−１４９のいずれか１つの主題を含み、任意的に、ＵＥの識別子に基づいて、ＵＥセキュリティキーを決定する手段を備える。
【０４２７】
例１５１は、例１５０の主題を含み、任意的に、ＵＥの識別子は、ＵＥの媒体アクセス制御（ＭＡＣ）アドレスを含む。
【０４２８】
例１５２は、例１５０又は１５１の主題を含み、任意的に、ＵＥの識別子を含む無線リソース制御（ＲＲＣ）メッセージをＵＥから受信する手段を備える。
【０４２９】
例１５３は、例１４５−１５２のいずれか１つの主題を含み、任意的に、ＵＥセキュリティキーは、事前共有キー（ＰＳＫ）を含む。
【０４３０】
例１５４は、例１５３の主題を含み、任意的に、ＰＳＫは、ワイヤレスフィデリティ保護アクセス（ＷＰＡ）ＰＳＫを含む。
【０４３１】
例１５５は、無線通信装置を含み、装置は、発展型ノードＢ（ｅＮＢ）において、ｅＮＢに対応するセルラセキュリティキーに基づいて、ＵＥに対応するユーザ機器（ＵＥ）セキュリティキーを決定する手段と、ＵＥセキュリティキーを含むセキュリティ情報を無線ローカルエリアネットワーク（ＷＬＡＮ）アクセスデバイスに提供する手段と、ＷＬＡＮアクセスデバイスにおいて、ＵＥセキュリティキーに基づいて、ＵＥとのＷＬＡＮリンクを確立する手段と、を備える。
【０４３２】
例１５６は、例１５５の主題を含み、任意的に、セルラセキュリティキーは、ｅＮＢに対応するｅＮＢセキュリティキー（ＫｅＮＢ）を含む。
【０４３３】
例１５７は、例１５５又は１５６の主題を含み、任意的に、ＷＬＡＮアクセスデバイス識別子に基づいて、ＵＥセキュリティキーを決定する手段を含む。
【０４３４】
例１５８は、例１５７の主題を含み、任意的に、ＷＬＡＮアクセスデバイス識別子は、ＷＬＡＮアクセスデバイス媒体アクセス制御（ＭＡＣ）アドレス、又はＷＬＡＮアクセスデバイスサービスセット識別子（ＳＳＩＤ）を含む。
【０４３５】
例１５９は、例１５５−１５８のいずれか１つの主題を含み、任意的に、ＷＬＡＮアクセスデバイス識別子を含む無線リソース制御（ＲＲＣ）メッセージをＵＥに送信する手段を備える。
【０４３６】
例１６０は、例１５５−１５９のいずれか１つの主題を含み、任意的に、ＵＥの識別子に基づいて、ＵＥセキュリティキーを決定する手段を備える。
【０４３７】
例１６１は、例１６０の主題を含み、任意的に、ＵＥの識別子は、ＵＥの媒体アクセス制御（ＭＡＣ）アドレスを含む。
【０４３８】
例１６２は、例１６０又は１６１の主題を含み、任意的に、ＵＥの識別子を含む無線リソース制御（ＲＲＣ）メッセージをＵＥから受信する手段を備える。
【０４３９】
例１６３は、例１５５−１６２のいずれか１つの主題を含み、任意的に、ＵＥセキュリティキーは、事前共有キー（ＰＳＫ）を含む。
【０４４０】
例１６４は、例１６３の主題を含み、任意的に、ＰＳＫは、ワイヤレスフィデリティ保護アクセス（ＷＰＡ）ＰＳＫを含む。
【０４４１】
例１６５は、無線ローカルエリアネットワーク（ＷＬＡＮ）アクセスデバイス装置を含み、装置は、ユーザ機器（ＵＥ）のＷＬＡＮ識別子と、ＵＥとの通信が関連付けも認証もされていない状態で実行されるというインジケーションをセルラマネジャから受信する手段と、ＷＬＡＮ送受信機とＵＥとの間で関連付けも認証もされていないリンクを介して複数のパケットの通信を行う手段と、を備え、複数のパケットは、セルラマネジャとＵＥとの間の通信をカプセル化する。
【０４４２】
例１６６は、例１６５の主題を含み、任意的に、セルラマネジャから受信される複数のＷＬＡＮ識別子のリストを管理し、複数のＷＬＡＮ識別子を有する複数のＵＥからのみ複数のパケットを受け付ける手段を備える。
【０４４３】
例１６７は、例１６５又は１６６の主題を含み、任意的に、他のＵＥのＷＬＡＮ識別子がセルラマネジャから受信されない場合に、他のＵＥからの複数のパケットを拒否する手段を備える。
【０４４４】
例１６８は、例１６５−１６７のいずれか１つの主題を含み、任意的に、ＵＥのＷＬＡＮ識別子は、ＵＥの媒体アクセス制御（ＭＡＣ）アドレス、又はＵＥの認証識別子を含む。
【０４４５】
例１６９は、ユーザ機器（ＵＥ）装置を含み、装置は、セルラネットワークの発展型ノードＢ（ｅＮＢ）からＵＥ照合キーを受信する手段と、ＵＥとＷＬＡＮアクセスデバイスとの間における関連付けされているが認証されていないリンクを介して、ＵＥとｅＮＢとの間で無線ローカルエリアネットワーク（ＷＬＡＮ）ベースのリンクを確立する手段と、ＷＬＡＮベースのリンクを介して、ＵＥ照合キーをｅＮＢに送信する手段と、を備える。
【０４４６】
例１７０は、例１６９の主題を含み、任意的に、ＵＥ照合キーを含む無線リソース制御（ＲＲＣ）メッセージを受信する手段を備える。
【０４４７】
例１７１は、例１６９又は１７０の主題を含み、任意的に、ＷＬＡＮベースのリンクを確立してから予め定められた時間内に、ＷＬＡＮベースのリンクを介してＵＥ照合キーを送信する手段を備える。
【０４４８】
例１７２は、発展型ノードＢ（ｅＮＢ）装置を含み、装置は、セルラリンクを介してユーザ機器（ＵＥ）と通信を行う手段と、無線ローカルエリアネットワーク（ＷＬＡＮ）アクセスデバイスと通信を行う手段と、ＷＬＡＮアクセスデバイスを介して、ｅＮＢとＵＥとの間でＷＬＡＮベースのリンクを確立する手段と、ＵＥ照合キーを決定する手段と、セルラリンクを介してＵＥ照合キーをＵＥに送信する手段と、ＵＥ照合キーが、予め定められた時間内にＷＬＡＮベースのリンクを介してＵＥから受信されない場合に、ＷＬＡＮアクセスデバイスに、ＵＥから切り離すよう要求する手段と、備える。
【０４４９】
例１７３は、例１７２の主題を含み、任意的に、ＵＥ照合キーを含む無線リソース制御（ＲＲＣ）メッセージをＵＥに送信する手段を備える。
【０４５０】
１つ又は複数の実施形態を参照して本明細書で説明される複数の機能、動作、コンポーネント及び／又は特徴は、１つ又は複数の他の実施形態を参照して本明細書で説明される１つ又は複数の他の機能、動作、コンポーネント及び／又は特徴の組み合わせと組み合わせられてよく、又はこれらにおいて利用されてよく、逆もまた然りである。
【０４５１】
複数の特定の特徴が本明細書において図示及び説明されたが、多くの修正、置換、変更、及び均等物が、当業者によって行われ得る。従って、添付された特許請求の範囲は、このような修正及び変化の全てを、本開示の真の主旨に属するものとして包含することを意図することを理解されたい。
【図１】
0006304788.tif 000002
【図２】
0006304788.tif 000003
【図３】
0006304788.tif 000004
【図４】
0006304788.tif 000005
【図５】
0006304788.tif 000006